(57)【要約】      （修正有）【課題】分離安定性に優れた界面活性剤を提供する。【解決手段】多価アルコール部分エステルと、アルコールのアルキレンオキシド付加物と、式（１）から（５）で表される化合物とを含有してなる界面活性剤を用いる。2008174700.tif 000006【選択図】    なし【特許請求の範囲】
【請求項１】
多価アルコールの高級脂肪酸部分エステル（Ａ）と、高級アルコールのアルキレンオキシド付加物（Ｂ）と、一般式（１）で表されるアミド（Ｃ１）、一般式（２）で表されるアミド（Ｃ２）、一般式（３）で表されるアミン（Ｃ３）、一般式（４）で表されるポリオキシアルキレングリコール（Ｃ４）及び一般式（５）で表されるジオール（Ｃ５）からなる郡より選ばれる少なくとも１種の化合物（Ｃ）とを含有してなることを特徴とする界面活性剤。
【化１】
2008174700.tif 000005
なお、Ｒ１、Ｒ２及びＲ３は炭化水素基、ＡＯはオキシアルキレン基、ｍは０又は１、ｎは１又は２、ｎ＋ｍ＝２、ｓは２〜４００の整数、ｔは１〜４００の整数を表す。
【請求項２】
化合物（Ｃ）が一般式（１）で表されるアミド（Ｃ１）である請求項１に記載の界面活性剤。
【請求項３】
多価アルコールの高級脂肪酸部分エステル（Ａ）、高級アルコールのアルキレンオキシド付加物（Ｂ）及び化合物（Ｃ）の重量に基づいて、多価アルコールの高級脂肪酸部分エステル（Ａ）の含有量が０．１〜８０重量％、高級アルコールのアルキレンオキシド付加物（Ｂ）の含有量が０．１〜８０重量％、化合物（Ｃ）の含有量が０．１〜８０重量％である請求項１又は２に記載の界面活性剤。
【請求項４】
さらに多価アルコール高級脂肪酸部分エステルのアルキレンオキシド付加物（Ｄ）及びポリオキシアルキレングリコール脂肪酸エステル（Ｅ）を含有してなる請求項１〜３のいずれかに記載の界面活性剤。
【請求項５】
多価アルコールの高級脂肪酸部分エステル（Ａ）、高級アルコールのアルキレンオキシド付加物（Ｂ）及び化合物（Ｃ）の重量に基づいて、多価アルコール高級脂肪酸部分エステルのアルキレンオキシド付加物（Ｄ）の含有量が０．１〜５０重量％、ポリオキシアルキレングリコール脂肪酸エステル（Ｅ）の含有量が０．１〜５０である請求項４に記載の界面活性剤。
【請求項６】
さらにポリエーテル変性ジアルキルポリシロキサン（Ｆ）を含有してなる請求項１〜５のいずれかに記載の界面活性剤。
【請求項７】
ポリエーテル変性ジアルキルポリシロキサン（Ｆ）の含有量が多価アルコールの高級脂肪酸部分エステル（Ａ）、高級アルコールのアルキレンオキシド付加物（Ｂ）及び化合物（Ｃ）の重量に基づいて０．０１〜３０である請求項６に記載の界面活性剤。
【請求項８】
水溶性高分子及び請求項１〜７のいずれかに記載の界面活性剤を含有してなる樹脂。
【発明の詳細な説明】
【技術分野】
【０００１】
本発明は界面活性剤及びこれを含有してなる樹脂に関する。
【背景技術】
【０００２】
グリセリン高級脂肪酸部分エステルと高級アルコールのアルキレンオキシド付加物とからなる界面活性剤が知られている（特許文献１）。
【特許文献１】特開平１１−２８３０８号公報
【発明の開示】
【発明が解決しようとする課題】
【０００３】
従来の界面活性剤では、経日的に分離するという問題があった。
本発明の目的は、分離安定性に優れた界面活性剤を提供することである。
【課題を解決するための手段】
【０００４】
本発明者は前記課題を解決すべく鋭意検討を重ねた結果、本発明に達した。
すなわち、本発明の界面活性剤の特徴は、多価アルコールの高級脂肪酸部分エステル（Ａ）と、高級アルコールのアルキレンオキシド付加物（Ｂ）と、一般式（１）で表されるアミド（Ｃ１）、一般式（２）で表されるアミド（Ｃ２）、一般式（３）で表されるアミン（Ｃ３）、一般式（４）で表されるポリオキシアルキレングリコール（Ｃ４）及び一般式（５）で表されるジオール（Ｃ５）からなる群より選ばれる少なくとも１種の化合物（Ｃ）とを含有してなる点を要旨とする。
【０００５】
【化１】
2008174700.tif 000002
なお、Ｒ１、Ｒ２及びＲ３は炭化水素基、ＡＯはオキシアルキレン基、ｍは０又は１、ｎは１又は２、ｎ＋ｍ＝２、ｓは２〜４００の整数、ｔは１〜４００の整数を表す。
【発明の効果】
【０００６】
本発明の界面活性剤は、分離安定性に著しく優れている。したがって、長期にわたって優れた界面活性を発揮することができる。
【発明を実施するための最良の形態】
【０００７】
＜多価アルコールの高級脂肪酸部分エステル（Ａ）＞
多価アルコールの高級脂肪酸部分エステル（Ａ）とは、多価アルコールと高級脂肪酸とのエステルのうち、多価アルコールの水酸基が残存している化合物を意味し、残存している水酸基の数に統計学的な分布のあるエステルの混合物｛ランダムディストリビューション：特開平９−１１７６０９号公報や特開平９−２５３４０５号公報等｝であってもよい。
【０００８】
多価アルコールとしては、２〜６価アルコールが含まれる。
２価アルコールとしては、脂肪族ジオール、脂環式ジオール及び芳香族ジールが含まれる。
脂肪族ジオールとしては、炭素数２〜８の脂肪族ジオールが含まれ、エチレングリコール、プロピレングリコール、ブタンジオール、ヘキサンジオール、ネオペンチルグリコール、ジエチルプロパンジオール、ヒドロキシオクタデセニルアルコール、ジエチレングリコール、トリエチレングリコール、テトラエチレングリコール、トリメチルペンタンジオール及びジ（ヒドロキシエチル）チオエーテル等が挙げられる。
脂環式ジオールとしては、炭素数８〜１５の脂環式ジオールが含まれ、１，４−シクロヘキサンジメタノール、４，４’−ジヒドロキシジシクロヘキサン及びジヒドロキシジシクロへキシルジメチルメタン等が挙げられる。
芳香族ジオールとしては、炭素数６〜１５の芳香族ジオールが含まれ、カテコール、ヒドロキノン、ビスフェノールＡ、ビスフェノールＦ、ビスフェノールＳ及び１，４−ジヒドロキシナフタレン等が挙げられる。
【０００９】
３価アルコールとしては、脂肪族トリオール、脂環式トリオール及び芳香族トリオールが含まれる。
脂肪族トリオールとしては、炭素数３〜６の脂肪族トリオールが含まれ、グリセリン、トリメチロールエタン、トリメチロールプロパン、トリメチロールオクタン及びヘキサントリオール等が挙げられる。
脂環式トリオールとしては、炭素数６〜１５の脂環式トリオールが含まれ、トリヒドロキシシクロヘキサン、トリヒドロキシジシクロヘキサン及びトリヒドロキシジシクロへキシルジメチルメタン等が挙げられる。
芳香族トリオールとしては、炭素数６〜１５の芳香族トリオールが含まれ、トリヒドロキシベンゼン、トリヒドロキシビフェニル及びトリヒドロキシジフェニルジメチルメタン等が挙げられる。
【００１０】
４価アルコールとしては、脂肪族テトラオール、脂環式テトラオール及び芳香族テトラオールが含まれる。
脂肪族テトラオールとしては、炭素数５〜８の脂肪族テトラオールが含まれ、ジグリセリン、ペンタエリスリトール、ジトリメチロールプロパン及びソルビタン等が挙げられる。
脂環式テトラオールとしては、炭素数６〜１５の脂環式テトラオールが含まれ、テトラヒドロキシシクロヘキサン、テトラヒドロキシジシクロヘキサン及びテトラヒドロキシジシクロへキシルジメチルメタン等が挙げられる。
芳香族テトラオールとしては、炭素数６〜１５の芳香族テトラオールが含まれ、テトラヒドロキシベンゼン、テトラヒドロキシビフェニル及びテトラヒドロキシジフェニルジメチルメタン等が挙げられる。
【００１１】
５価アルコールとしては、脂肪族ペンタオール、脂環式ペンタオール及び芳香族ペンタオールが含まれる。
脂肪族ペンタオールとしては、炭素数９〜１２の脂肪族ペンタオールが含まれ、トリグリセリン及びキシリトール等が挙げられる。
脂環式ペンタオールとしては、炭素数６〜１２の脂環式ペンタオールが含まれ、ペンタヒドロキシシクロヘキサン、ペンタヒドロキシジシクロへキサン、ペンタヒドロキシジシクロへキシルジメチルメタン及びヒドロキノン−β−Ｄ−グルコシド等が含まれる。
芳香族ペンタオールとしては、炭素数６〜１５の芳香族ペンタオールが含まれ、ペンタヒドロキシベンゼン、ペンタヒドロキシビフェニル及びペンタヒドロキシジフェニルジメチルメタン等が挙げられる。
【００１２】
６価アルコールとしては、脂肪族ヘキサオール、脂環式ヘキサオール及び芳香族ヘキサオールが含まれる。
脂肪族ヘキサオールとしては、炭素数６〜１２の脂肪族ヘキサオールが含まれ、ソルビトール、テトラグリセリン及びジペンタエリスリトール等が挙げられる。
脂環式ヘキサオールとしては、炭素数６〜１５の脂環式ヘキサオールが含まれ、ヘキサヒドロキシシクロヘキサン、ヘキサヒドロキシジシクロヘキサン及びヘキサヒドロキシジシクロへキシルジメチルメタン等が挙げられる。
芳香族テトラオールとしては、炭素数６〜１５の芳香族ヘキサオールが含まれ、ヘキサヒドロキシベンゼン、ヘキサヒドロキシビフェニル及びヘキサヒドロキシジフェニルジメチルメタン等が挙げられる。
【００１３】
これらの多価アルコールのうち、２価アルコール、３価アルコール及び４価アルコールが好ましく、さらに好ましくは脂肪族ジオール、脂肪族トリオール及び脂肪族テトラオール、特に好ましくはエチレングリコール、プロピレングリコール、ブタンジオール、ネオペンチルグリコール、グリセリン、トリメチロールプロパン、ジグリセリン、トリグリセリン、テトラグリセリン、ペンタエリスリトール及びソルビタン、次に好ましくはエチレングリコール、グリセリン、トリメチロールプロパン、ペンタエリスリトール及びソルビタン、最も好ましくはグリセリンである。
【００１４】
高級脂肪酸としては、炭素数６〜２４（８〜２２が好ましく、さらに好ましくは１０〜１８）の脂肪酸が含まれ、直鎖飽和高級脂肪酸、直鎖不飽和高級脂肪酸、分岐飽和高級脂肪酸及び分岐不飽和高級脂肪酸が含まれる。
直鎖飽和高級脂肪酸としては、へキサン酸、ヘプタン酸、オクタン酸、ノナン酸、デカン酸、ウンデカン酸、ドデカン酸、トリデカン酸、テトラデカン酸、ペンタデカン酸、へキサデカン酸、へプタデカン酸、オクタデカン酸、ノナデカン酸、エイコサン酸、へネイコサン酸、ドコサン酸、トリコサン酸及びテトラコサン酸等が挙げられる。
【００１５】
分岐飽和高級脂肪酸としては、イソヘキサン酸、２−エチルヘキサン酸、イソトリデカン酸及びイソオクタデカン酸等が挙げられる。
【００１６】
直鎖不飽和高級脂肪酸としては、不飽和結合を１個有する脂肪酸｛２−ヘキセン酸、３−ヘキセン酸、４−ヘキセン酸、５−ヘキセン酸、２−ヘプテン酸、３−ヘプテン酸、５−ヘプテン酸、６−ヘプテン酸、２−オクテン酸、３−オクテン酸、２−ノネン酸、３−ノネン酸、２−デセン酸、４−デセン酸、９−デセン酸、９−ウンデセン酸、１０−ウンデセン酸、２−ドデセン酸、４−ドデセン酸、５−ドデセン酸、１１−ドデセン酸、２−トリデセン酸、１２−トリデセン酸、４−テトラデセン酸、５−テトラデセン酸、９−テトラデセン酸、１４−ペンタデセン酸、９−へキサデセン酸、２−オクタデセン酸、３−オクタデセン酸、４−オクタデセン酸、６−オクタデセン酸、７−オクタデセン酸、８−オクタデセン酸、９−オクタデセン酸、１０−オクタデセン酸、１１−オクタデセン酸、１２−オクタデセン酸、１５−オクタデセン酸、１６−オクタデセン酸、１７−オクタデセン酸、９−エイコセン酸、１３−ドコセン酸及び１５−テトラコセン酸等｝；及び不飽和結合を２〜５個有する脂肪酸｛９，１２−オクタデカジエン酸、９，１１，１３−オクタデカトリエン酸、９，１２，１５−オクタデカトリエン酸、１０，１２，１４−オクタデカトリエン酸及び９，１１，１３，１５−オクタデカテトラエン酸、４，８，１２，１６−エイコサテトラエン酸、５，８，１１，１４−エイコサテトラエン酸、４，８，１２，１５，１８−エイコサペンタエン酸、４，８，１２，１５，１９−ドコサペンタエン酸等｝が挙げられる。
【００１７】
分岐不飽和高級脂肪酸としては、イソへキセン酸、イソトリデセン酸及びイソオクタデセン酸等が挙げられる。  
【００１８】
高級脂肪酸は、複数種類の混合物であってもよく、たとえば、動植物由来脂肪酸をそのまま使用してもよい。
動植物油由来脂肪酸としては、牛脂脂肪酸、豚脂脂肪酸、鯨油脂肪酸、魚油脂肪酸、菜種油脂肪酸、大豆油脂肪酸、ヒマワリ種子油脂肪酸、綿実油脂肪酸、落花生油脂肪酸、米糠油脂肪酸、トウモロコシ油脂肪酸、サフラワー油脂肪酸、オリーブ油脂肪酸、ゴマ油脂肪酸、月見草油脂肪酸、パーム油脂肪酸、シア脂脂肪酸、サル脂脂肪酸、カカオ脂脂肪酸、ヤシ油脂肪酸及びパーム核油脂肪酸等が挙げられる。
【００１９】
これらの高級脂肪酸のうち、直鎖飽和高級脂肪酸、直鎖不飽和高級脂肪酸及び分岐飽和高級脂肪酸が好ましく、さらに好ましくは直鎖飽和高級脂肪酸及び直鎖不飽和高級脂肪酸、特に好ましくは直鎖飽和高級脂肪酸及び不飽和結合を１個有する直鎖不飽和高級脂肪酸、次に好ましくはオクタン酸、デカン酸、ドデカン酸、オクタデカン酸及び９−オクタデセン酸、最も好ましくはドデカン酸である。
【００２０】
多価アルコールの高級脂肪酸部分エステル（Ａ）は市場から容易に入手でき、たとえば、次の商品が好ましく例示できる。 
＜２価アルコールの高級脂肪酸部分エステル＞
リケマール（登録商標）シリーズ（ＰＬ−１００、ＰＰ−１００、ＰＳ−１００、ＰＯ−１００Ｖ、ＰＢ−１００等）{理研ビタミン（株）} 
【００２１】
＜３価アルコールの高級脂肪酸部分エステル＞
リケマール（登録商標）シリーズ（Ｓ−１００、ＨＣ−１００、ＯＬ−１００（Ｅ）等）{理研ビタミン（株）} 
ポエム（登録商標）シリーズ（Ｍ−１００，Ｍ−２００、Ｍ−３００、ＰＶ−１００、Ｖ−１００、ＯＬ−２００等）{理研ビタミン（株）} 
【００２２】
＜４価アルコールの高級脂肪酸部分エステル＞
リケマール（登録商標）シリーズ（Ｌ−７１−Ｄ、Ｓ−７１−Ｄ、Ｏ−７１−Ｄ等）{理研ビタミン（株）} 
イオネット（登録商標）シリーズ（Ｓ−２０Ｃ、Ｓ−６０Ｃ、Ｓ−８０等）{三洋化成工業（株）} 
ノニオンシリーズ（ＬＰ−２０Ｒ、ＭＰ−３０Ｒ、ＰＰ−４０Ｒ、ＳＰ−６０Ｒ、ＯＰ−８０Ｒ、ＯＰ−８３ＲＡＴ、ＯＰ−８５Ｒ等）｛日本油脂（株）｝
レオドール（登録商標）シリーズ（ＳＰ−Ｌ１０、ＳＰ−Ｐ１０、ＳＰ−Ｓ１０Ｖ、ＳＰ−Ｓ２０、ＳＰ−Ｓ３０Ｖ、ＳＰ−Ｏ１０Ｖ、ＳＰ−Ｏ３０Ｖ、ＡＳ−１０Ｖ、ＡＯ−１００Ｖ、ＡＯ−１５Ｖ等）｛花王（株）｝
【００２３】
＜５価アルコールの高級脂肪酸部分エステル
ＥＭＡＬＥＸ（登録商標）シリーズ（ＤＳＧ−３、ＤＩＳＧ−３、ＤＩＳＧ−３ＥＸ等）｛日本エマルジョン（株）｝  
【００２４】
＜６価アルコールの高級脂肪酸部分エステル＞
ＳＹグリスターシリーズ（ＭＳ−３１０、ＴＳ−３１０、ＰＳ−３１０、ＭＯ−３１０、ＰＯ−３１０、ＭＬ−３１０、ＣＲ−３１０等）｛阪本薬品（株）｝
【００２５】
多価アルコールの高級脂肪酸部分エステル（Ａ）の含有量（重量％）は、多価アルコールの高級脂肪酸部分エステル（Ａ）、高級アルコールのアルキレンオキシド付加物（Ｂ）及び化合物（Ｃ）の重量に基づいて、０．１〜８０が好ましく、さらに好ましくは１０〜６０、特に好ましくは２０〜４０である。この範囲であると、分離安定性がさらに良好となる。
【００２６】
＜高級アルコールのアルキレンオキシド付加物（Ｂ）＞
高級アルコールとしては、炭素数６〜３０の高級モノアルコールが含まれ、直鎖アルカノール、直鎖アルケノール、分岐アルカノール及び分岐アルケノールが含まれる。
直鎖アルカノールとしては、ヘキサノール、ヘプタノール、オクタノール、ノナオール、デカノール、ウンデカノール、ドデカノール、トリデカノール、テトラデカノール、ペンタデカノール、へキサデカノール、ヘプタデカノール、オクタデカノール、ノナデカノール、エイコサノール、ヘネイコサノール、ドコサノール、トリコサノール、テトラコサノール、ペンタコサノール、ヘキサコサノール、ヘプタコサノール、オクタコサノール、ノナコサノール及びトリアコサノール等が挙げられる。
【００２７】
直鎖アルケノールとしては、ヘキセノール、ヘプテノール、オクテノール、ノネノール、デセノール、ウンデセノール、ドデセノール、トリデセノール、テトラデセノール、ペンタデセノール、へキサデセノール、ペンタデセノール、ヘキサデセノール、ヘプタデセノール、オクタデセノール、ノナデセノール、エイセノール、ドコセノール、テトラコセノール、ペンタコセノール、ヘキサコセノール、ヘプタコセノール、ヘプタコセノール、オクタコセノール、ノナコセノール及びトリアコンセノール等が挙げられる。
分岐アルカノールとしては、２−エチルへキサノール、１−メチルヘプタデカノール、１−ヘキシルヘプタノール、イソデカノール及びイソトリデカノール等が挙げられる。
分岐アルケノールとしては、イソヘキセノール、２−エチルへキセノール、イソトリデセノール、１−メチルヘプタデセノール、１−ヘキシルヘプテノール、イソトリデセノール及びイソオクタデセノール等が挙げられる。
【００２８】
これらの高級アルコールのうち、直鎖アルカノール、直鎖アルケノール及び分岐アルカノールが好ましく、さらに好ましくは直鎖アルカノール及び分岐アルカノール、特に好ましくはデカノール、イソデカノール及びイソトリデカノール、最も好ましくはデカノールである。
【００２９】
アルキレンオキシドとしては、炭素数２〜８のアルキレンオキシドが含まれ、エチレンオキシド、プロピレンオキシド、ブチレンオキシド及びスチレンオキシド等が挙げられる。これらのうち、エチレンオキシド、プロピレンオキシド及びこれらの混合が好ましい。エチレンオキシド及びプロピレンオキシドの混合の場合、エチレンオキシド単位の含有量（重量％）は、エチレンオキシド単位及びプロピレンオキシド単位の重量に基づいて、１０〜８０が好ましく、さらに好ましくは２０〜７０、特に好ましくは３０〜６０である。また、プロピレンオキシド単位の含有量（重量％）は、エチレンオキシド単位及びプロピレンオキシド単位の重量に基づいて、２０〜９０が好ましく、さらに好ましくは３０〜８０、特に好ましくは４０〜７０である。
【００３０】
アルキレンオキシドの付加モル数は、高級アルコール１モルあたり、４〜４００が好ましく、さらに好ましくは１０〜２００、特に好ましくは１５〜１００である。この範囲であると、分離安定性がさらに良好となる。
アルキレンオキシドは、１種でも、２種以上の混合でもよい。混合の場合、付加形態は、ブロック状、ランダム状及びこれらの組合せのいずれでもよい。
【００３１】
高級アルコールのアルキレンオキシド付加物（Ｂ）は市場から容易に入手でき、たとえば、次の商品が好ましく例示できる。
ＢＬＡＵＮＯＮシリーズ（ＥＬ−１３０３、ＥＮ−１５０２、ＥＮ−９０５、ＥＨ−２、ＥＨ−４、ＤＡＬ−２、ＤＡＨ−３、ＮＤＢ−２０４０、ＤＡＰ−１００８、ＥＬＰ−０８０９Ｂ、ＥＬＰ−１６０８Ｂ、ＥＨＰ−４、ＢＰＯ−３）｛青木油脂（株）｝
ＦＩＮＥＳＵＲＦシリーズ（ＮＤＢ−８００、ＩＤＥＰ−６０８、ＩＤＥＰ−６０４、ＩＤＥＰ−８０２、ＩＤＥＰ−５６０、ＩＤＥＰ−５８０、ＩＤＥＰ−９１６１、ＩＤＥＰ−５０１０、ＩＤＥＰ−９０１０、ＩＤＥＰ−７０４５、ＩＤＥＰ−７０８５、５０１０、７０４５、７０８５、９０１０、ＴＤＰ−０１０８、ＴＤＰ−０１０９、ＴＤＰ−０２５５、ＴＤＰ−０６３３Ｋ、ＴＤＰ−１０３３、ＴＤＰ−１０５５）｛青木油脂（株）｝
ＷＯＮＤＥＲＳＵＲＦシリーズ（１００、１４０、ＮＤＲ−８００、ＮＤＲ−１０００、ＮＤＲ−１４００、ＲＬ−８０、ＲＬ−１００、ＲＬ−８０、ＲＬ−１００、ＲＬ−１４０、ＩＤ−５０、ＩＤ−７０、ＩＤ−９０、Ｓ−８００、Ｓ−１０００、Ｓ−１４００）｛青木油脂（株）｝
ライオノール（登録商標）シリーズ（ＴＤＬ−２０、ＴＤＬ−３０、ＴＤＬ−５０）｛ライオン（株）｝
ニューポール（登録商標）シリーズ（ＬＢ−２８５、ＬＢ−６２５、ＬＢ−１７１５、５０ＨＢ−１００、５０ＨＢ−２６０、５０ＨＢ−４００、５０Ｂ−２０００、５０ＨＢ−５１００、ＰＰ−４００）｛三洋化成（株）｝
【００３２】
高級アルコールのアルキレンオキシド付加物（Ｂ）の含有量（重量％）は、多価アルコールの高級脂肪酸部分エステル（Ａ）、高級アルコールのアルキレンオキシド付加物（Ｂ）及び化合物（Ｃ）の重量に基づいて、０．１〜８０が好ましく、さらに好ましくは５〜７０、特に好ましくは１０〜６０である。この範囲であると、分離安定性がさらに良好となる。
【００３３】
＜化合物（Ｃ）＞
（１）一般式（１）で表されるアミド（Ｃ１）
一般式（１）において、炭化水素（Ｒ１及びＲ２）のうち、Ｒ１としては、炭素数１〜３０の炭化水素基が含まれ、直鎖アルキル基、分岐アルキル基、直鎖アルケニル基及び分岐アルケニル基等が使用できる。
【００３４】
直鎖アルキル基としては、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘニコシル、ドコシル、トリコシル、テトラコシル、ヘプタコシル、ヘキサキシル、ヘプタコシル、オクタコシル、ノナコシル及びトリアコンシル等が挙げられる。
分岐アルキル基としては、イソプロピル、イソブチル、ｔ−ブチル、イソペンチル、ネオペンチル、イソヘキシル、２−エチルヘキシル、イソトリデシル、イソオクタデシル及びイソトリアコンシル等が挙げられる。
【００３５】
直鎖アルケニル基としては、ビニル、アリル、プロペニル、ブテニル、ペンテニル、ヘプテニル、オクテニル、ノネニル、デセニル、ウンデセニル、ドデセニル、トリデセニル、テトラデセニル、ペンタデセニル、ヘキサデセニル、ヘプタデセニル、オクタデセニル、ノナデセニル、イコセニル、ヘニコセニル、ドコセニル、トリコセニル、テトラコセニル、ヘプタコセニル、ヘキサキセニル、ヘプタコセニル、オクタコセニル、ノナコセニル及びトリアコンテニル等が挙げられる。
分岐アルケニル基としては、イソブテニル、イソペンテニル、ネオペンテニル、イソヘキセニル、イソトリデセニル、イソオクタデセニル及びイソトリアコンテニル等が挙げられる。
これらの炭化水素のうち、直鎖アルキル基及び直鎖アルケニル基が好ましく、さらに好ましくは直鎖アルキル基、特に好ましくは炭素数１２〜１８の直鎖アルキル基である。
【００３６】
また、Ｒ２としては、炭素数１〜１９の炭化水素基が含まれ、直鎖アルキレン基、分岐アルキレン基、直鎖アルケニレン及び分岐アルケニレン等が使用できる。 
直鎖アルキレン基としては、メチレン、エチレン、トリメチレン、テトラメチレン、ペンタメチレン、ヘキサメチレン、ヘプタメチレン、オクタメチレン、ノナメチレン、デカメチレン、ウンデカメチレン、ドデカメチレン、トリデカメチレン、テトラデカメチレン、ペンタデカメチレン、ヘキサデカメチレン及びオクタデカメチレン等が挙げられる。 
分岐アルキレン基としてはメチルエチレン、メチルトリメチレン、メチルテトラメチレン、メチルペンタメチレン、メチルヘキサメチレン、メチルヘプタメチレン、メチルオクタメチレン、メチルノナメチレン、メチルデカメチレン、メチルウンデカメチレン、メチルドデカメチレン、メチルトリデカメチレン、メチルテトラデカメチレン、メチルペンタデカメチレン、メチルヘキサデカメチレン及びメチルオクタデカメチレン等が挙げられる。
【００３７】
直鎖アルケニレン基としては、ビニレン、アリレン、プロペニレン、ブテニレン、ペンテニレン、ヘプテニレン、オクテニレン、ノネニレン、デセニレン、ウンデセニレン、ドデセニレン、トリデセニレン、テトラデセニレン、ペンタデセニレン、ヘキサデセニレン、ヘプタデセニレン、オクタデセニレン、ノナデセニレン、イコセニレン、ヘニコセニレン、ドコセニレン、トリコセニレン、テトラコセニレン、ヘプタコセニレン、ヘキサキセニレン、ヘプタコセニレン、オクタコセニレン、ノナコセニレン及びトリアコンテニレン等が挙げられる。 
分岐アルケニル基としては、イソブテニレン、イソペンテニレン、ネオペンテニレン、イソヘキセニレン、イソトリデセニレン、イソオクタデセニレン及びイソトリアコンテニレン等が挙げられる。
これらの炭化水素基のうち、直鎖アルキレン基及び分岐鎖アルキレン基が好ましく、さらに好ましくは直鎖アルキレン基、特に好ましくはエチレン及びテトラメチレンである。
【００３８】
ｍは０又は１であるが、分離安定性の観点等から０が好ましい。
ｎは１又は２であるが、分離安定性の観点等から２が好ましい。
【００３９】
一般式（１）で表されるアミド（Ｃ１）を例示すると、ラウリン酸モノエタノールアミド、ラウリン酸ジエタノールアミド、ラウリン酸モノイソプロパノールアミド、ラウリン酸ジイソプロパノールアミド、ヤシ油脂肪酸モノエタノールアミド、ヤシ油脂肪酸モノイソプロパノールアミド、ミリスチン酸モノエタノールアミド、ミリスチン酸ジエタノールアミド、ミリスチン酸モノプロパノールアミド、ミリスチン酸ジプロパノールアミド、パルミチン酸モノエタノールアミド、パルミチン酸ジエタノールアミド、パルミチン酸モノプロパノールアミド、パルミチン酸ジプロパノールアミド、ステアリン酸モノエタノールアミド、ステアリン酸ジエタノールアミド、ステアリン酸モノプロパノールアミド、ステアリン酸ジプロパノールアミド、イソステアリン酸モノエタノールアミド、イソステアリン酸ジエタノールアミド、イソステアリン酸モノプロパノールアミド、イソステアリン酸ジプロパノールアミド、オレイン酸モノエタノールアミド、オレイン酸モノプロパノールアミド、トリアコンタン酸ジエタノールアミド及びトリアコンタン酸モノヘキサノールアミド等が挙げられる。
【００４０】
これらのうち、ヤシ油脂肪酸ジエタノールアミド、ミリスチン酸ジエタノールアミド、パルミチン酸ジエタノールアミド及びステアリン酸ジエタノールアミドが好ましく、さらに好ましくはヤシ油脂肪酸ジエタノールアミド、ミリスチン酸ジエタノールアミド及びパルミチン酸ジエタノールアミド、特に好ましくはヤシ油脂肪酸ジエタノールアミドである。
【００４１】
一般式（１）で表されるアミド（Ｃ１）は、公知の方法により、アルカノールアミンと脂肪酸等とを反応させることにより得られる（特開２００１−３０２６００公報等）。
一般式（１）で表されるアミド（Ｃ１）は市場から容易に入手でき、たとえば、次の商品が好ましく例示できる。
プロファン（登録商標）シリーズ（エキストラ２４、１２８エキストラ、２０１２Ｅ、ＡＡ−６２ＥＸ、ＡＢ−２０、ＳＭＥ、ＡＤ−３１等）｛三洋化成工業（株）｝
アミゾール（登録商標）シリーズ（ＣＤＥ、ＦＤＥ、ＫＤ−１、ＣＤ、ＣＤＣ、Ｍ、ＬＤＥ、ＭＤＥ、ＳＤＥ、ＩＳＤＥ、ＯＤＥ等）｛川研ファインケミカル（株）｝
【００４２】
（２）一般式（２）で表されるアミド（Ｃ２）
一般式（２）において、炭化水素基（Ｒ１）、ｍ及びｎは、一般式（１）で表されるアミド（Ｃ１）の場合と同様であり、好ましい範囲も同じである。
ｔは、１〜２００の整数が好ましく、さらに好ましくは１〜５０の整数、特に好ましくは１〜５の整数、最も好ましくは１〜２の整数である。
オキシアルキレン基（ＡＯ）としては、炭素数２〜８のオキシアルキレンが含まれ、オキシエチレン、オキシプロピレン、オキシブチレン及びフェニルオキシエチレン等が挙げられる。これらのうち、オキシエチレンが好ましい。
オキシアルキレン基は、１種又は２種以上の組合せでもよい。組合せの場合、付加形態は、ブロック状、ランダム状及びこれらの組合せのいずれでもよい。
【００４３】
一般式（２）で表されるアミドを例示すると、ヤシ油脂肪酸モノエタノールアミドエチレンオキシド１モル付加物、ヤシ油脂肪酸モノエタノールアミドエチレンオキシド２モル付加物、ステアリン酸アミドエチレンオキシド５モル付加物、ステアリン酸アミドエチレンオキシド５０モル付加物及びオレイン酸アミドエチレンオキシド５モル付加物等が挙げられる。これらのうち、ヤシ油脂肪酸モノエタノールアミドエチレンオキシド２モル付加物が好ましい。
【００４４】
一般式（２）で表されるアミド（Ｃ２）は市場から容易に入手でき、たとえば、次の商品が好ましく例示できる。
アミノーン（登録商標）シリーズ（ＰＫ−０２Ｓ、Ｌ−０２、Ｃ−１１Ｓ等）｛花王（株）｝
エソマイドシリーズ（ＨＴ／１５、ＨＴ／６０、Ｏ／１５等）｛ライオン（株）｝
【００４５】
（３）一般式（３）で表されるアミン（Ｃ３）
一般式（３）において、炭化水素基（Ｒ１）、ｍ及びｎは、一般式（１）で表されるアミド（Ｃ１）の場合と同様であり、好ましい範囲も同じである。
また、オキシアルキレン基（ＡＯ）及びｔは、一般式（２）で表されるアミド（Ｃ２）の場合と同様であり、好ましい範囲も同じである。
【００４６】
一般式（３）で表されるアミン（Ｃ３）を例示すると、ココナッツアミンエチレンオキシド２モル付加物、ココナッツアミンエチレンオキシド５モル付加物、牛脂アミンエチレンオキシド５モル付加物、大豆油アミンエチレンオキシド１５モル付加物及びオレイルアミンエチレンオキシド１０モル付加物等が挙げられる。これらのうち、ココナッツアミンエチレンオキシド２モル付加物が好ましい。
【００４７】
一般式（３）で表されるアミン（Ｃ３）は市場から容易に入手でき、たとえば、次の商品が好ましく例示できる。
エソミンシリーズ（Ｃ／１２、Ｃ／１５、Ｃ／２５、Ｔ／１２、Ｔ／１５、Ｔ／２５、Ｓ／１５、Ｓ／２５、Ｏ／１２、Ｏ／１７、Ｏ／２０、ＨＴ／１２、ＨＴ／１４、ＨＴ／１７、ＳＡＪ−１０３、ＳＡ２Ｙ−１０３）｛ライオン（株）｝
アミート（登録商標）シリーズ（１０２、１０５、１０５Ａ、３０２、３２０）｛花王（株）｝
ナイミーン（登録商標）シリーズ（Ｌ−２０１、Ｌ−２０２、Ｌ−２０７、Ｓ−２０２、Ｓ−２０４、Ｓ−２１０、Ｓ−２１５、Ｓ−２２０、Ｔ２−２０６、Ｔ２−２１０、Ｔ２−２３０、Ｔ２−２６０、）｛日本油脂（株）｝｝
【００４８】
（４）一般式（４）で表されるポリオキシアルキレングリコール（Ｃ４）
一般式（４）において、オキシアルキレン基（ＡＯ）は、一般式（２）で表されるアミド（Ｃ２）の場合と同様である。これらのうち、オキシエチレン及びオキシプロピレンが好ましく、さらに好ましくはオキシエチレンである。
ｓは、２〜２００の整数が好ましく、さらに好ましくは３〜１００の整数、特に好ましくは４〜５０の整数である。この範囲であると、分離安定性がさらに良好となる。
【００４９】
ポリオキシアルキレングリコール（Ｃ４）としては、ポリオキシエチレングリコール、ポリオキシプロピレングリコール、ポリオキシエチレン・ポリオキシプロレングリコール（オキシエチレン及びオキシプロピレンの結合様式：ブロック又はランダム）、ポリオキシプロピレン・ポリオキシブチレングリコール（オキシプロピレン及びオキシブチレンの結合様式：ブロック又はランダム）、ポリオキシエチレン・ポリオキシブチレングリコール（オキシエチレン及びオキシブチレンの結合様式：ブロック又はランダム）及びポリオキシエチレン・ポリオキシプロピレン・ポリオキシエチレングリコール（オキシエチレン及びオキシプロピレンの結合様式：ブロック）等が挙げられる。これらのうち、ポリオキシエチレングリコール及びポリオキシエチレン・ポリオキシプロピレン・ポリオキシエチレングリコール（オキシエチレン及びオキシプロピレンの結合様式：ブロック）が好ましく、さらに好ましくはポリオキシエチレングリコールである。
【００５０】
一般式（４）で表される（Ｃ４）は市場から容易に入手でき、たとえば、次の商品が好ましく例示できる。
ニューポール（登録商標）シリーズ（ＰＥ−６１、ＰＥ−６２、ＰＥ−６４、ＰＥ−６８、ＰＥ−７１、ＰＥ−７４、ＰＥ−７５、ＰＥ−７８、ＰＥ−１０８、ＰＰ−２００、ＰＰ−４００、ＰＰ−９５０、ＰＰ−１０００、ＰＰ−１２００、ＰＰ−２０００、ＰＰ−４０００等）｛三洋化成（株）｝
ＰＥＧシリーズ（２００、４００、６００、１０００、１５００、１５４０、２０００、４０００Ｓ、４０００Ｎ、６０００Ｓ、６０００Ｐ、２００００、２００００Ｓ等）｛三洋化成（株）｝
Ｐｌｕｒｏｎｉｃ（登録商標）シリーズ（ＰＥ３１００、ＰＥ４３００、ＰＥ６１００，ＰＥ６１２０、ＰＥ６２００、ＰＥ６２００、ＰＥ６４００、ＰＥ６８００、ＰＥ７４００、ＰＥ８１００、ＰＥ９２００、ＰＥ９４００、ＰＥ１０１００、ＰＥ１０３００、ＰＥ１０４００、ＰＥ１０５００、ＲＰＥ１７２０、ＲＰＥ１７４０、ＲＰＥ２０３５、ＲＰＥ２５２０、ＲＰＥ２５２５、ＲＰＥ３１１０、ＲＰＥ９０４０等）｛ＢＡＳＦジャパン（株）｝
Ｐｌｕｒｉｏｌ（登録商標）シリーズ（Ｅ２００、Ｅ４００、Ｅ６００、Ｅ１０００、Ｅ１５００Ｅ、Ｅ４０００Ｅ、Ｅ６０００Ｅ、Ｅ８０００Ｅ、Ｅ９０００Ｐｏｗｄｅｒ、Ｐ４００、Ｐ６００、Ｐ９００、Ｐ２０００、Ｐ４０００等｛ＢＡＳＦジャパン（株）｝
【００５１】
（５）一般式（５）で表されるジオール（Ｃ５）
一般式（５）において、炭化水素基（Ｒ３）としては、炭素数２〜１０の炭化水素基が含まれ、一般式（１）で表されるアミド（Ｃ１）において説明した炭化水素基（Ｒ２）のうち、炭素数２〜１０の炭化水素基と同様である。これらのうち、エチレン、２−メチル−２，４−ペンチレン、プロピレン、ブチレン、ブテニレン、ペンチレン、２−エチル−１，３−ヘキシレン及びデシレンが好ましく、さらに好ましくは２−メチル−２，４−ペンチレンである。
【００５２】
一般式（５）で表されるジオール（Ｃ５）を例示すると、エチレングリコール、２−メチル−２，４−ペンタンジオール、１，２−プロパンジオール、１，３−プロパンジオール、１，２−ブタンジオール、１，３−ブタンジオール、１，４−ブタンジオール、１，５−ペンタンジオール、２−ブテン−１，４−ジオール、２−エチル−１，３−ヘキサンジオール及び１，１０−デカンジオール等が挙げられる。これらのうち、２−メチル−２，４−ペンタンジオールが好ましい。
【００５３】
化合物（Ｃ）は、一般式（１）で表されるアミド（Ｃ１）、一般式（２）で表されるアミド（Ｃ２）、一般式（３）で表されるアミン（Ｃ３）、一般式（４）で表されるポリオキシアルキレングリコール（Ｃ４）及び一般式（５）で表されるジオール（Ｃ５）からなる郡より選ばれる少なくとも１種であればよいが、これらの化合物（Ｃ）のうち、アミド（Ｃ１）、アミド（Ｃ２）、ポリオキシアルキレングリコール（Ｃ４）及びジオール（Ｃ５）が好ましく、さらに好ましくはアミド（Ｃ１）、アミド（Ｃ２）及びジオール（Ｃ５）、特に好ましくはアミド（Ｃ１）である。
【００５４】
化合物（Ｃ）の含有量（重量％）は、多価アルコールの高級脂肪酸部分エステル（Ａ）、高級アルコールのアルキレンオキシド付加物（Ｂ）及び化合物（Ｃ）の重量に基づいて、０．１〜８０が好ましく、さらに好ましくは５〜７０、特に好ましくは１０〜５０である。この範囲であると、分離安定性がさらに良好となる。
【００５５】
化合物（Ｃ）に一般式（１）で表されるアミド（Ｃ１）を含む場合、アミド（Ｃ１）の含有量（重量％）は、化合物（Ｃ）の重量に基づいて、０．１〜８０が好ましく、さらに好ましくは５〜７０、特に好ましくは１０〜５０である。
【００５６】
化合物（Ｃ）に一般式（２）で表されるアミド（Ｃ２）を含む場合、アミド（Ｃ２）の含有量（重量％）は、化合物（Ｃ）の重量に基づいて、０．１〜８０が好ましく、さらに好ましくは５〜７０、特に好ましくは１０〜５０である。
【００５７】
化合物（Ｃ）に一般式（３）で表されるアミン（Ｃ３）を含む場合、アミン（Ｃ３）の含有量（重量％）は、化合物（Ｃ）の重量に基づいて、０．１〜８０が好ましく、さらに好ましくは５〜７０、特に好ましくは１０〜５０である。
【００５８】
化合物（Ｃ）に一般式（４）で表されるポリオキシアルキレングリコール（Ｃ４）を含む場合、ポリオキシアルキレングリコール（Ｃ４）の含有量（重量％）は、化合物（Ｃ）の重量に基づいて、０．１〜８０が好ましく、さらに好ましくは５〜７０、特に好ましくは１０〜５０である。
【００５９】
化合物（Ｃ）に一般式（５）で表されるジオール（Ｃ５）を含む場合、ジオール（Ｃ５）の含有量（重量％）は、化合物（Ｃ）の重量に基づいて、０．１〜８０が好ましく、さらに好ましくは５〜７０、特に好ましくは１０〜５０である。
【００６０】
本発明の界面活性剤には、さらに、多価アルコール高級脂肪酸部分エステルのアルキレンオキシド付加物（Ｄ）及びポリオキシアルキレングリコール脂肪酸エステル（Ｅ）を含有してもよい。これらを含有すると、分離安定性がさらに良好となる。
【００６１】
＜多価アルコール高級脂肪酸部分エステルのアルキレンオキシド付加物（Ｄ）＞
多価アルコールとしては、上記の多価アルコールのうち、３〜６価アルコールが含まれる。
これらの多価アルコールのうち、３価アルコール及び４価アルコールが好ましく、さらに好ましくは脂肪族トリオール及び脂肪族テトラオール、特に好ましくはグリセリン、トリメチロールプロパン、ジグリセリン、ペンタエリスリトール及びソルビタン、次に好ましくはグリセリン、トリメチロールプロパン及びソルビタン、最も好ましくはソルビタンである。
【００６２】
高級脂肪酸は、上記の高級脂肪酸と同様であり、好ましい範囲も同じである。
アルキレンオキシドは、上記のアルキレンオキシドと同様（エチレンオキシドが好ましい。）である。
アルキレンオキシドの付加モル数は、多価アルコール１モルあたり、１〜１００が好ましく、さらに好ましくは１〜５０、特に好ましくは６〜２０である。
アルキレンオキシドは、１種でも、２種以上の混合でもよい。混合の場合、付加形態は、ブロック状、ランダム状及びこれらの組合せのいずれでもよい。
【００６３】
多価アルコール高級脂肪酸部分エステルのアルキレンオキシド付加物（Ｄ）は市場から容易に入手でき、たとえば、次の商品が好ましく例示できる。
イオネット（登録商標）シリーズ（Ｔ−２０Ｃ、Ｔ−６０Ｃ、Ｔ−８０Ｃ等）{三洋化成工業（株）} 
ＰＮＴ−４０及びＰＮＴ−６０｛日本乳化剤（株）｝
ＥＭＡＬＥＸ（登録商標）シリーズ（ＧＷＩＳ−１０３、ＧＷＩＳ−１１０、ＲＷＩＳ−１０５、ＴＰＳ−２０３等）｛日本エマルジョン（株）｝  
【００６４】
多価アルコール高級脂肪酸部分エステルのアルキレンオキシド付加物（Ｄ）を含有する場合、（Ｄ）の含有量（重量％）は、多価アルコールの高級脂肪酸部分エステル（Ａ）、高級アルコールのアルキレンオキシド付加物（Ｂ）及び化合物（Ｃ）の重量に基づいて、０．１〜５０が好ましく、さらに好ましくは１〜４０、特に好ましくは５〜３０である。この範囲であると、分離安定性がさらに良好となる。
【００６５】
＜ポリオキシアルキレングリコール脂肪酸エステル（Ｅ）＞
ポリオキシアルキレングリコール脂肪酸エステル（Ｅ）としては、ポリオキシアルキレングリコール脂肪酸モノエステル及びポリオキシアルキレングリコール脂肪酸ジエステルが含まれる。
ポリオキシアルキレングリコール脂肪酸エステル（Ｅ）には、統計学的な分布のエステル混合物であってもよい。
【００６６】
ポリオキシアルキレングリコールとしては、ポリオキシエチレングリコール、ポリオキシプロピレングリコール、ポリオキシプロピレン・ポリオキシエチレングリコール（オキシプロピレン及びオキシエチレンの結合様式：ランダム）、ポリオキシエチレン・ポリオキシブチレングリコール（オキシエチレン及びオキシブチレンの結合様式：ランダム）及びポリオキシエチレン・ポリオキシプロピレン・ポリオキシエチレングリコール（オキシエチレン及びオキシプロピレンの結合様式：ブロック）が含まれる。
これらのポリオキシアルキレングリコールのうち、ポリオキシプロピレン・ポリオキシエチレングリコール（オキシプロピレン及びオキシエチレンの結合様式：ランダム）、ポリオキシエチレン・ポリオキシプロピレン・ポリオキシエチレングリコール（オキシエチレン及びオキシプロピレンの結合様式：ブロック）及びポリオキシエチレングリコールが好ましく、さらに好ましくはポリオキシエチレン・ポリオキシプロピレン・ポリオキシエチレングリコール（オキシエチレン及びオキシプロピレンの結合様式：ブロック）及びポリオキシエチレングリコール、特に好ましくはポリオキシエチレングリコールである。
ポリオキシアルキレングリコールの数平均分子量（Ｍｎ）は、６２〜１００００が好ましく、さらに好ましくは１００〜５０００、特に好ましくは２００〜２０００である。この範囲であると、分離安定性がさらに良好となる。
【００６７】
脂肪酸は、上記の高級脂肪酸と同様であり、好ましい範囲も同じである。
ポリオキシアルキレングリコール脂肪酸エステル（Ｅ）は市場から容易に入手でき、たとえば、次の商品が好ましく例示できる。
イオネット（登録商標）シリーズ（ＭＳ−４００、ＭＳ−１０００、ＤＬ−２００及びＤＳ−４０００等）{三洋化成工業（株）} 
イオネット（登録商標）シリーズ（ＭＯ−４００、ＭＯ−６００、ＤＯ−４００及びＤＯ−６００等）{三洋化成工業（株）} 
【００６８】
ポリオキシアルキレングリコール脂肪酸エステル（Ｅ）を含有する場合、（Ｅ）の含有量（重量％）は、多価アルコールの高級脂肪酸部分エステル（Ａ）、高級アルコールのアルキレンオキシド付加物（Ｂ）及び化合物（Ｃ）の重量に基づいて、０．１〜５０が好ましく、さらに好ましくは１〜４０、特に好ましくは５〜３０である。この範囲であると、分離安定性がさらに良好となる。
【００６９】
本発明の界面活性剤には、さらに、ポリエーテル変性ジアルキルポリシロキサン（Ｆ）を含有してもよい。これらを含有すると、分離安定性がさらに良好となる。
＜ポリエーテル変性ジアルキルポリシロキサン（Ｆ）＞
ポリエーテル変性ジアルキルポリシロキサン（Ｆ）とは、ジアルキルシロキサンのアルキル基の一部をポリエーテル（ポリオキシアルキレン化合物）で変性した化合物を意味する。
ポリエーテル変性ジアルキルポリシロキサン（Ｆ）としては、公知のもの（たとえば、特公昭５０−５１５７号、特公昭５０−１４７５号、特開昭５０−４２８２号、特開２００４−５９７８５又は特開平６−１４２４１０号各公報）等が使用できる。
【００７０】
ポリエーテル変性ジアルキルポリシロキサンは市場から容易に入手でき、たとえば、次の商品が好ましく例示できる。
ＦＺ−７７、ＦＺ−２１０１、ＦＺ−２１０４、ＦＺ−２１１０、ＦＺ−２１１８、ＦＺ−２１６２、ＦＺ−２２０３、ＦＺ−２２０７、ＦＺ−２２０８、ＦＺ２１９１、ＦＺ−７００１、ＦＺ−７００２、ＣＦ１０２２、ＢＹ１６−２０１、ＳＦ８４２７、ＳＦ８４２８、ＳＨ３７４９、ＳＨ８４００、及びＳＨ３７７３Ｍ｛東レ・ダウコーニング・シリコーン（株）｝ 
Ｓｉｌｉｃｏｎｅ  Ｆｌｕｉｄ  Ｌ０５１、Ｓｉｌｉｃｏｎｅ  Ｆｌｕｉｄ  Ｌ０６６｛旭化成ワッカーシリコーン（株）｝
ＫＦ−６０１１、ＫＦ−６０１１Ｐ、ＫＦ−６０１２、ＫＦ−６０１３、ＫＦ−６０１５、ＫＦ−６０１６、ＫＦ−６０１７、ＫＦ−６０１７Ｐ、ＫＦ−６００４、ＫＦ−６０２８、ＫＦ−６０２８Ｐ、ＫＦ−６０３８｛信越化学工業（株）｝
ＴＳＦ−４４４０、ＴＳＦ−４４４５、ＴＳＦ−４４５０、ＴＳＦ−４４４６、ＴＳＦ−４４５２、ＴＳＦ−４４５３、ＴＳＦ−４４６０｛ＧＥ東芝シリコーン（株）｝
【００７１】
ポリエーテル変性ジアルキルポリシロキサン（Ｆ）を含有する場合、（Ｆ）の含有量（重量％）は、多価アルコールの高級脂肪酸部分エステル（Ａ）、高級アルコールのアルキレンオキシド付加物（Ｂ）及び化合物（Ｃ）の重量に基づいて、０．０１〜３０が好ましく、さらに好ましくは０．１〜１０、特に好ましくは０．５〜５である。この範囲であると、分離安定性がさらに良好となる。
【００７２】
本発明の界面活性剤は、必要に応じて、さらに、その他の成分｛脂肪酸及びこの塩、アミド、動植物油、炭化水素油、シリコーンオイル、疎水性シリカ及び親水性シリカの他、防黴剤、防腐剤、酸化防止剤及び皮張り防止剤等（たとえば、１４１０２の化学商品、化学工業日報社、２００２年１月発行）等｝を含有できる。
【００７３】
本発明の界面活性剤は、多価アルコールの高級脂肪酸部分エステル（Ａ）、高級アルコールのアルキレンオキシド付加物（Ｂ）及び化合物（Ｃ）、並びに必要により多価アルコール高級脂肪酸部分エステルのアルキレンオキシド付加物（Ｄ）、ポリオキシアルキレングリコール脂肪酸エステル（Ｅ）、ポリエーテル変性ジアルキルポリシロキサン（Ｆ）及び／又はその他の成分を均一混合することにより製造され得る。均一混合の温度は混合しやすい温度に調整すればよいが、通常２０〜０℃が好ましい。
【００７４】
本発明の界面活性剤は、分離安定性が非常に優れており、例えば、消泡剤、レベリング剤、分散剤、乳化剤、潤滑剤又は帯電防止剤等として使用できる。これらのうち、消泡剤として適している。特に水溶性高分子を含む発泡液体に対する消泡剤として好適である。
【００７５】
水溶性高分子としては、公知の水溶性高分子等（たとえば、特開２００４−３０５８８２号公報）が含まれ、合成水溶性高分子、天然水溶性高分子及び半合成水溶性高分子が含まれる。
これらのうち、合成水溶性高分子が好ましく、さらに好ましくはオキシエチレン基含有（共）重合体、スルホ基含有（共）重合体、カルボキシ基含有（共）重合体、カルバモイル基含有（共）重合体及びヒドロキシ基含有（共）重合体、特に好ましくはヒドロキシ基含有（共）重合体、次に好ましくは部分ケン化ポリビニルアルコール及び完全ケン化ポリビニルアルコール｛商品名：クラレポバールＰＶＡ−２０３、同ＰＶＡ−２０５、同ＰＶＡ−２１７、同ＰＶＡ−２２４、同ＰＶＡ−２２８、同ＰＶＡ−２３５、同ＰＶＡ−４２４Ｈ（以上、部分ケン化ポリビニルアルコール）；クラレポバールＰＶＡ−１０５、同ＰＶＡ−１１７、同ＰＶＡ−１２４、同ＰＶＡ−１２６Ｈ（以上、完全ケン化ポリビニルアルコール）（株式会社クラレ製）等｝である。
【００７６】
水溶性高分子及び本発明の界面活性剤を含有してなる樹脂は、低起泡性、レベリング性又は帯電防止性に優れている（特に低起泡性に優れる。）。
【実施例】
【００７７】
次に、実施例により本発明を更に説明するが、本発明は以下の実施例により限定されるものではない。なお、以下、特記しない限り部は重量部を、％は重量％を意味する
＜実施例１＞ 
グリセリンドデカン酸エステル（ａ１）｛ポエムＭ−３００、理研ビタミン（株）製｝０．１部、高級アルコールのアルキレンオキシド付加物（ｂ１）｛デシルアルコールのエチレンオキシド１３モル・プロピレンオキシド１５モルブロック付加物｝８０部、ヤシ油脂肪酸ジエタノールアミド（ｃ１１）｛プロファン１２８エキストラ、三洋化成工業（株）製｝１９．９部を均一混合しながら、８０℃まで昇温した後、均一混合しながら、約２５℃まで冷却して、本発明の界面活性剤（１）を得た。
【００７８】
なお、高級アルコールのアルキレンオキシド付加物（ｂ１）は以下のようにして得た。
デシルアルコール｛試薬特級、和光純薬工業（株）製｝１５８部（１モル部）及び水酸化カリウム｛試薬特級、和光純薬工業（株）製｝１５部を均一混合しながら、窒素置換及び加熱（１００℃に昇温）した後、減圧下（０．０１３ＭＰａ以下）で１時間脱水した。
次いで、１５０℃に昇温し、この温度でエチレンオキシド５７２部（１３モル部）を連続滴下し（０．１〜１ＭＰａ）、同温度にさらに２時間保った。その後、１３０℃に調整し、この温度でプロピレンオキシド８７０部（１５モル部）を連続滴下し（０．１〜１ＭＰａ）、同温度でさらに３時間保った。
そして、この反応生成物にマグネシウムシリケート（キョウワード６００、協和化学株式会社）１１５部を添加して、１００℃で１時間撹拌処理し、その後、減圧濾過により、このマグネシウムシリケートを除去して、高級アルコールのアルキレンオキシド付加物（ｂ１）を得た。
【００７９】
＜実施例２＞
グリセリンドデカン酸エステル（ａ１）０．１部を１０部に変更したこと、高級アルコールのアルキレンオキシド付加物（ｂ１）８０部を７０部に変更したこと、ヤシ油脂肪酸ジエタノールアミド（ｃ１１）１９．９部をステアリン酸ジエタノールアミド（ｃ１２）｛アミゾールＳＤＥ、川研ファインケミカル（株）製｝２０部に変更したこと以外、実施例１と同様にして、本発明の界面活性剤（２）を得た。
【００８０】
＜実施例３＞
グリセリンドデカン酸エステル（ａ１）０．１部を２０部に変更したこと、高級アルコールのアルキレンオキシド付加物（ｂ１）８０部を６０部に変更したこと、ヤシ油脂肪酸ジエタノールアミド（ｃ１１）１９．９部をヤシ油脂肪酸モノブタノールアミド（ｃ１３）２０部に変更したこと、さらにソルビタンモノオレートエチレンオキシド２０モル付加物（ｄ１）｛イオネットＴ−８０Ｃ、三洋化成工業（株）製｝２０部及びポリオキシエチレングリコール（数平均分子量約４００）オレイン酸モノエステル（ｅ１）｛イオネットＭＯ−４００、三洋化成工業（株）製｝１９．９部を、（ａ１）、（ｂ１）及び（ｃ１３）と共に均一混合したこと以外、実施例１と同様にして、本発明の界面活性剤（３）を得た。
【００８１】
なお、ヤシ油脂肪酸モノブタノールアミド（ｃ１３）は以下のようにして得た。
ヤシ油脂肪酸｛ルナックＬ−５０、花王（株）製｝２００部（１モル部）、４−アミノ−１−ブタノール｛純度９８％以上、アルドリッチ製｝９０部（１．０１モル部）及び２５％ナトリウムメトキシド｛純度９５％以上、アルドリッチ製｝７部（０．０３モル部）を均一混合しながら、窒素置換した後、２００Ｐａに減圧し、９０℃に昇温し、５時間反応させた。その後、４０℃まで冷却し、ヤシ油脂肪酸モノブタノールアミド（ｃ１３）を得た。
【００８２】
＜実施例４＞
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をステアリン酸モノヘキサノールアミド（ｃ１４）５０部に変更したこと以外、実施例１と同様にして、本発明の界面活性剤（４）を得た。
【００８３】
なお、ステアリン酸モノヘキサノールアミド（ｃ１４）は、ヤシ油脂肪酸２００部（１モル部）をステアリン酸｛試薬特級、和光純薬工業（株）製｝２８４部（１モル部）に変更したこと及び４−アミノ−１−ブタノール９０部（１．０１モル部）を６−アミノ−１−ヘキサノール｛純度９７％以上、アルドリッチ製｝１１８部（１．０１モル部）に変更したこと以外、実施例３と同様にして、調製した。
【００８４】
＜実施例５＞
グリセリンドデカン酸エステル（ａ１）０．１部を６０部に変更したこと、高級アルコールのアルキレンオキシド付加物（ｂ１）８０部をイソデカノールのエチレンオキシド６５モル・プロピレンオキシド３５モルのランダム付加物（ｂ２）｛ＷＯＮＤＥＲＳＵＲＦ  ＩＤ−５０、青木油脂（株）製｝５部に変更したこと、ヤシ油脂肪酸ジエタノールアミド（ｃ１１）１９．９部をヤシ油脂肪酸モノヘキサノールアミド（ｃ１５）３５部に変更したこと以外、実施例１と同様にして、本発明の界面活性剤（５）を得た。
【００８５】
なお、ヤシ油脂肪酸モノヘキサノールアミド（ｃ１５）は、４−アミノ−１−ブタノール９０部（１．０１モル部）を６−アミノ−１−ヘキサノール｛純度９７％以上、アルドリッチ製｝１１８部（１．０１モル部）に変更したこと以外、実施例３と同様にして、調製した。
【００８６】
＜実施例６＞
グリセリンドデカン酸エステル（ａ１）０．１部を８０部に変更したこと、高級アルコールのアルキレンオキシド付加物（ｂ１）８０部をイソトリデシルアルコールのアルキレンオキシド付加物（ｂ３）｛ライオノールＴＤＬ−３０、ライオン（株）製｝０．１部に変更したこと、ヤシ油脂肪酸ジエタノールアミド（ｃ１１）１９．９部をトリアコンタン酸モノエタノールアミド（ｃ１６）１９．９部に変更したこと以外、実施例１と同様にして、本発明の界面活性剤（６）を得た。
【００８７】
なお、トリアコンタン酸モノエタノールアミド（ｃ１６）は、ヤシ油脂肪酸２００部（１モル部）をトリアコンタン酸｛純度９８％以上、アルドリッチ製｝４５２部（１モル部）に変更したこと及び４−アミノ−１−ブタノール９０部（１．０１モル部）をモノエタノールアミン｛和光純薬工業（株）製｝６１部（１．０１モル部）に変更したこと以外、実施例３と同様にして、調製した。
【００８８】
＜実施例７＞
グリセリンドデカン酸エステル（ａ１）０．１部をエチレングリコールデカン酸エステル（ａ２）１９．９部に変更したこと、高級アルコールのアルキレンオキシド付加物（ｂ１）８０部をデシルアルコールのエチレンオキシド１５１モル・プロピレンオキシド４９モルのブロック付加物（ｂ４）８０部に変更したこと、ヤシ油脂肪酸ジエタノールアミド（ｃ１１）１９．９部を酢酸ジヘキサノールアミド（ｃ１７）０．１部に変更したこと以外、実施例１と同様にして、本発明の界面活性剤（７）を得た。
【００８９】
なお、エチレングリコールデカン酸エステル（ａ２）は以下のようにして得た。
デカン酸｛試薬特級、和光純薬工業（株）製｝１７２部（１モル部）、エチレングリコール｛試薬特級、和光純薬工業（株）製｝６２部（１モル部）及びパラトルエンスルホン酸｛試薬特級、和光純薬工業（株）製｝８．６部（０．０５モル部）を均一混合しながら、窒素置換した後、１３０℃に昇温し、生成する水を除去しながら１３０℃で２０時間反応を行い、エチレングリコールデカン酸エステル｛モノエステル及びジエステル等の混合物｝を得た。
【００９０】
また、デシルアルコールのエチレンオキシド１５１モル・プロピレンオキシド４９モルのブロック付加物（ｂ４）は、エチレンオキシド５７２部（１３モル部）を６６４４部（１５１モル部）に変更したこと及びプロピレンオキシド８７０部（１５モル部）を２８４２部（４９モル部）に変更したこと以外、実施例１と同様にして調製した。
【００９１】
また、酢酸ジヘキサノールアミド（ｃ１７）は、ヤシ油脂肪酸２００部（１モル部）を酢酸｛試薬特級、和光純薬工業（株）製｝６０部（１モル部）に変更したこと及び４−アミノ−１−ブタノール９０部（１．０１モル部）をジエタノールアミン｛純度９９％以上、和光純薬工業（株）製｝１０５部（１．０１モル部）に変更したこと以外、実施例３と同様にして、調製した。
【００９２】
＜実施例８＞
グリセリンドデカン酸エステル（ａ１）０．１部をソルビタンオレイン酸エステル（ａ３）｛イオネットＳ−８０、三洋化成工業（株）製｝２５部に変更したこと、高級アルコールのアルキレンオキシド付加物（ｂ１）８０部をデシルアルコールのエチレンオキシド３３６モル・プロピレンオキシド６４モルのブロック付加物（ｂ５）７０部に変更したこと、ヤシ油脂肪酸ジエタノールアミド（ｃ１１）１９．９部を５部に変更したこと以外、実施例１と同様にして、本発明の界面活性剤（８）を得た。
【００９３】
なお、デシルアルコールのエチレンオキシド３３６モル・プロピレンオキシド６４モルのブロック付加物（ｂ５）は、エチレンオキシド５７２部（１３モル部）を１４７８４部（３３６モル部）に変更したこと及びプロピレンオキシド８７０部（１５モル部）を３７１２部（６４モル部）に変更したこと以外、実施例１と同様にして調製した。
【００９４】
＜実施例９＞
グリセリンドデカン酸エステル（ａ１）０．１部をソルビタンデカン酸エステル（ａ４）３０部に変更したこと、高級アルコールのアルキレンオキシド付加物（ｂ１）８０部をデシルアルコールのエチレンオキシド０．５モル・プロピレンオキシド３．５モルのブロック付加物（ｂ６）６０部に変更したこと、ヤシ油脂肪酸ジエタノールアミド（ｃ１１）１９．９部を１０部に変更したこと以外、実施例１と同様にして、本発明の界面活性剤（９）を得た。
【００９５】
なお、ソルビタンデカン酸エステル（ａ４）は、エチレングリコール６２部（１モル部）をソルビタン｛和光純薬工業（株）製｝）１６４部（１モル部）に変更したこと以外、実施例７と同様にして、調製した。
【００９６】
また、デシルアルコールのエチレンオキシド０．５モル・プロピレンオキシド３．５モルのブロック付加物（ｂ６）は、エチレンオキシド５７２部（１３モル部）を２２部（０．５モル部）に変更したこと及びプロピレンオキシド８７０部（１５モル部）を２０３部（３．５モル部）に変更したこと以外、実施例１と同様にして調製した。
【００９７】
＜実施例１０＞
グリセリンドデカン酸エステル（ａ１）０．１部をトリメチロールプロパン９−オクタデセン酸モノエステル（ａ５）４０部に変更したこと、高級アルコールのアルキレンオキシド付加物（ｂ１）８０部をデシルアルコールのエチレンオキシド２．５モル・プロピレンオキシド７．５モルのブロック付加物（ｂ７）１０部に変更したこと、ヤシ油脂肪酸エタノールアミド（ｃ１１）１９．９部を５０部に変更したこと以外、実施例１と同様にして、本発明の界面活性剤（１０）を得た。
【００９８】
なお、トリメチロールプロパン９−オクタデセン酸モノエステル（ａ５）は、デカン酸１７２部（１モル部）をオレイン酸｛試薬１級、和光純薬工業（株）製｝２８０部（１モル部）に変更したこと、エチレングリコール６２部（１モル部）をトリメチロールプロパン｛試薬１級、和光純薬工業（株）製｝１２０部（１モル部）に変更したこと以外、実施例７と同様にして、調製した。
【００９９】
また、デシルアルコールのエチレンオキシド２．５モル・プロピレンオキシド７．５モルのブロック付加物（ｂ７）は、エチレンオキシド５７２部（１３モル部）を１１０部（２．５モル部）に変更したこと及びプロピレンオキシド８７０部（１５モル部）を４３５部（７．５モル部）に変更したこと以外、実施例１と同様にして調製した。
【０１００】
＜実施例１１＞
グリセリンドデカン酸エステル（ａ１）０．１部をエチレングリコールオクタン酸エステル（ａ６）２５部に変更したこと、高級アルコールのアルキレンオキシド付加物（ｂ１）８０部をデシルアルコールのエチレンオキシド５．５モル・プロピレンオキシド９．５モルのブロック付加物（ｂ８）５部に変更したこと、ヤシ油脂肪酸エタノールアミド（ｃ１１）１９．９部を７０部に変更したこと以外、実施例１と同様にして、本発明の界面活性剤（１１）を得た。
【０１０１】
なお、エチレングリコールオクタン酸エステル（ａ６）は、デカン酸１７２部（１モル部）をオクタン酸｛試薬特級、和光純薬工業（株）製｝１４４部（１モル部）に変更したこと以外、実施例７と同様にして、調製した。
【０１０２】
また、デシルアルコールのエチレンオキシド５．５モル・プロピレンオキシド９．５モルのブロック付加物（ｂ８）は、エチレンオキシド５７２部（１３モル部）を２４２部（５．５モル部）に変更したこと及びプロピレンオキシド８７０部（１５モル部）を５５１部（９．５モル部）に変更したこと以外、実施例１と同様にして調製した。
【０１０３】
＜実施例１２＞ 
グリセリンドデカン酸エステル（ａ１）０．１部をグリセリンドコサン酸エステル（ａ７）１９．９部に変更したこと、高級アルコールのアルキレンオキシド付加物（ｂ１）８０部をデシルアルコールのエチレンオキシド６６モル・プロピレンオキシド３４モルのブロック付加物（ｂ９）０．１部に変更したこと、ヤシ油脂肪酸エタノールアミド（ｃ１１）１９．９部を８０部に変更したこと以外、実施例１と同様にして、本発明の界面活性剤（１２）を得た。
【０１０４】
なお、グリセリンドコサン酸エステル（ａ７）は、デカン酸１７２部（１モル部）をドコサン酸｛和光純薬工業（株）製｝３２０部（１モル部）に変更したこと、エチレングリコール６２部（１モル部）をグリセリン｛試薬特級、和光純薬工業（株）製｝９２部（１モル部）に変更したこと以外、実施例７と同様にして、調製した。
【０１０５】
また、デシルアルコールのエチレンオキシド６６モル・プロピレンオキシド３４モルのブロック付加物（ｂ９）は、エチレンオキシド５７２部（１３モル部）を２９０４部（６６モル部）に変更したこと及びプロピレンオキシド８７０部（１５モル部）を１９７２部（３４モル部）に変更したこと以外、実施例１と同様にして調製した。
【０１０６】
＜実施例１３＞
グリセリンドデカン酸エステル（ａ１）０．１部を１９．９部に変更したこと、高級アルコールのアルキレンオキシド付加物（ｂ１）８０部を０．１部に変更したこと、ヤシ油脂肪酸ジエタノールアミド（ｃ１１）１９．９部をヤシ油脂肪酸モノエタノールアミドエチレンオキシド２モル付加物（ｃ２１）｛プロファンＭＥ−２０、三洋化成（株）製｝８０部に変更したこと以外、実施例１と同様にして、本発明の界面活性剤（１３）を得た。
【０１０７】
＜実施例１４＞
グリセリンドデカン酸エステル（ａ１）０．１部を２５部に変更したこと、高級アルコールのアルキレンオキシド付加物（ｂ１）８０部を５部に変更したこと、ヤシ油脂肪酸ジエタノールアミド（ｃ１１）１９．９部をステアリルアミドエチレンオキシド５０モル付加物（ｃ２２）｛エソマイドＨＴ／６０、ライオン（株）製｝７０部に変更したこと以外、実施例１と同様にして、本発明の界面活性剤（１４）を得た。
【０１０８】
＜実施例１５＞
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をオレイルアミドエチレンオキシド５モル付加物（ｃ２３）｛エソマイドＯ／１５、ライオン（株）製｝５０部に変更したこと以外、実施例１と同様にして、本発明の界面活性剤（１５）を得た。
【０１０９】
＜実施例１６＞
グリセリンドデカン酸エステル（ａ１）０．１部を３０部に変更したこと、高級アルコールのアルキレンオキシド付加物（ｂ１）８０部を６０部に変更したこと、ヤシ油脂肪酸ジエタノールアミド（ｃ１１）１９．９部をヤシ油脂肪酸モノエタノールアミドエチレンオキシド２００モル付加物（ｃ２４）１０部に変更したこと以外、実施例１と同様にして、本発明の界面活性剤（１６）を得た。
【０１１０】
なお、ヤシ油脂肪酸モノエタノールアミドエチレンオキシド２００モル付加物（ｃ２４）は以下のようにして得た。
ヤシ油脂肪酸モノエタノールアミド｛プロファンＡＢ−２０、三洋化成（株）｝２４３部（１モル部）及び水酸化カリウム｛試薬特級、和光純薬工業（株）製｝１５部を均一混合しながら、窒素置換及び加熱（１００℃に昇温）した後、減圧下（０．０１３ＭＰａ以下）で１時間脱水した。
次いで、１５０℃に昇温し、この温度でエチレンオキシド８８００部（２００モル部）を連続滴下し（０．１〜１ＭＰａ）、同温度にさらに２時間保った。
そして、この反応生成物にマグネシウムシリケート（キョウワード６００、協和化学株式会社）１１５部を添加して、１００℃で１時間撹拌処理し、その後、減圧濾過により、このマグネシウムシリケートを除去して、ヤシ油脂肪酸モノエタノールアミドエチレンオキシド２００モル付加物（ｃ２４）を得た。
【０１１１】
＜実施例１７＞
グリセリンドデカン酸エステル（ａ１）０．１部を８０部に変更したこと、高級アルコールのアルキレンオキシド付加物（ｂ１）８０部を０．１部に変更したこと、ヤシ油脂肪酸ジエタノールアミド（ｃ１１）１９．９部をココナッツアミンエチレンオキシド２モル付加物（ｃ３１）｛エソミンＣ／１２、ライオン（株）製｝１９．９部に変更したこと以外、実施例１と同様にして、本発明の界面活性剤（１７）を得た。
【０１１２】
＜実施例１８＞
グリセリンドデカン酸エステル（ａ１）０．１部を１９．９部に変更したこと、高級アルコールのアルキレンオキシド付加物（ｂ１）８０部を８０部に変更したこと、ヤシ油脂肪酸ジエタノールアミド（ｃ１１）１９．９部をココナッツアミンエチレンオキシド５モル付加物（ｃ３２）｛エソミンＣ／１５、ライオン（株）製｝０．１部に変更したこと以外、実施例１と同様にして、本発明の界面活性剤（１８）を得た。
【０１１３】
＜実施例１９＞
グリセリンドデカン酸エステル（ａ１）０．１部を２５部に変更したこと、高級アルコールのアルキレンオキシド付加物（ｂ１）８０部を７０部に変更したこと、ヤシ油脂肪酸ジエタノールアミド（ｃ１１）１９．９部を牛脂アルキルアミンエチレンオキシド１５モル付加物（ｃ３３）｛エソミンＣ／２５、ライオン（株）製｝５部に変更したこと以外、実施例１と同様にして、本発明の界面活性剤（１９）を得た。
【０１１４】
＜実施例２０＞
グリセリンドデカン酸エステル（ａ１）０．１部をグリセリンドコサン酸エステル（ａ７）０．１部に変更したこと、さらにソルビタンモノオレートエチレンオキシド２０モル付加物（ｄ１）０．１部及びポリオキシエチレングリコールオレイン酸モノエステル（ｅ１）０．１部を、（ａ７）、（ｂ１）及び（ｃ１１）と共に均一混合したこと以外、実施例１と同様にして、本発明の界面活性剤（２０）を得た。
【０１１５】
＜実施例２１＞
グリセリンドデカン酸エステル（ａ１）０．１部を１０部に変更したこと、高級アルコールのアルキレンオキシド付加物（ｂ１）８０部を７０部に変更したこと、ヤシ油脂肪酸ジエタノールアミド（ｃ１１）１９．９部をステアリン酸ジエタノールアミド（ｃ１２）２０部に変更したこと、さらにグリセリンドコサン酸エステルエチレンオキシド５０モル付加物（ｄ２）５０部及びポリオキシエチレングリコール（数平均分子量１００）ドコサン酸エステル（ｅ２）５０部を、（ａ１）、（ｂ１）及び（ｃ１２）と共に均一混合したこと以外、実施例１と同様にして、本発明の界面活性剤（２１）を得た。
【０１１６】
なお、グリセリンドコサン酸エステルエチレンオキシド５０モル付加物（ｄ２）は以下のようにして得た。
ドコサン酸｛和光純薬工業（株）製｝３４０部（１モル部）、グリセリン｛試薬特級、和光純薬工業（株）製｝９２部（１モル部）及びパラトルエンスルホン酸｛試薬特級、和光純薬工業（株）製｝８．６部（０．０５モル部）を均一混合しながら、窒素置換及び加熱（１３０℃）した後、生成する水を除去しながら１３０℃で２０時間反応を行い、グリセリンドコサン酸エステル混合物（モノエステル、ジエステル及びトリエステル等の混合物）（ｄ２−１）を得た。
次いで、グリセリンドコサン酸エステル（ｄ２−１）４１４部（１モル部）及び三フッ化ホウ素ジエチルエーテラート｛試薬特級、和光純薬工業（株）製｝１１部を均一混合しながら、窒素置換及び加熱（５０℃）した後、５０℃でエチレンオキシド２２００部（５０モル部）を連続滴下し（０．１〜０．３ＭＰａ）、同温度にさらに１０時間保った。
そして、得られた反応生成物に水１００部及びハイドロタルサイト化合物｛キョーワード１０００、協和化学株式会社製｝１１５部を添加して、９０℃で１時間撹拌処理した。その後、減圧濾過により、このハイドロタルサイト化合物を除去した後、水を減圧留去し、グリセリンドコサン酸エステルエチレンオキシド５０モル付加物（ｄ２）を得た。 
【０１１７】
また、ポリオキシエチレングリコール（数平均分子量１００）ドコサン酸エステル（ｅ２）は以下のようにして得た。
ドコサン酸｛和光純薬工業（株）製｝３４０部（１モル部）、エチレングリコール｛試薬特級、和光純薬工業（株）製６２部（１モル部）及びパラトルエンスルホン酸｛試薬特級、和光純薬工業（株）製｝８．６部（０．０５モル部）を均一混合しながら、窒素置換及び加熱（１３０℃）した後、生成する水を除去しながら１３０℃で２０時間反応を行い、エチレングリコールドコサン酸エステル混合物（モノエステル及びジエステル等の混合物）を得た。
次いで、エチレングリコールドコサン酸エステル（ｅ２−１）３８４部（１モル部）及び三フッ化ホウ素ジエチルエーテラート｛試薬特級、和光純薬工業（株）製｝１１部を均一混合しながら、窒素置換及び加熱（５０℃）した後、５０℃でエチレンオキシド３８部（０．８６４モル部）を連続滴下し（０．１〜０．３ＭＰａ）、同温度にさらに１０時間保った。
そして、得られた反応生成物に水１００部及びハイドロタルサイト化合物｛キョーワード１０００、協和化学株式会社製｝１１５部を添加して、９０℃で１時間撹拌処理した。その後、減圧濾過により、このハイドロタルサイト化合物を除去した後、水を減圧留去しポリオキシエチレングリコール（数平均分子量１００）オクタン酸エステル（ｅ２）を得た。
【０１１８】
＜実施例２２＞
グリセリンドデカン酸エステル（ａ１）０．１部を２０部に変更したこと、高級アルコールのアルキレンオキシド付加物（ｂ１）８０部を６０部に変更したこと、ヤシ油脂肪酸ジエタノールアミド（ｃ１１）１９．９部をヤシ油脂肪酸モノブタノールアミド（ｃ１３）２０部に変更したこと、さらにジグリセリンオクタン酸エステルエチレンオキシド１モル付加物（ｄ３）１部及びポリオキシプロピレン・ポリオキシエチレングリコール（オキシプロピレン及びオキシエチレンの結合様式：ランダム）（数平均分子量５０００）オクタン酸エステル（ｅ３）１部を、（ａ１）、（ｂ１）及び（ｃ１３）と共に均一混合したこと以外実施例１と同様にして、本発明の界面活性剤（２２）を得た。
【０１１９】
なお、ジグリセリンオクタン酸エステルエチレンオキシド１モル付加物（ｄ３）は、ソルビタン｛試薬特級、和光純薬工業（株）製｝９２部（１モル部）をジグリセリン｛ジグリセリンＳ、阪本薬品（株）製｝１６６部（１モル部）に変更したこと、ドコサン酸３４０部（１モル部）をオクタン酸｛試薬特級、和光純薬工業（株）｝１５８部（１モル）に変更したこと、グリセリン９２部（１モル部）をソルビタン｛和光純薬工業（株）製｝１６４部（１モル）に変更したこと及びエチレンオキシド２１５６部（４９モル部）を４４部（１モル部）に変更したこと以外、実施例２１と同様にして調製した。
【０１２０】
また、ポリオキシプロピレン・ポリオキシエチレングリコール（オキシプロピレン及びオキシエチレンの結合様式：ランダム）（数平均分子量５０００）オクタン酸エステル（ｅ３）は、ドコサン酸３４０部（１モル部）をオクタン酸｛試薬特級、和光純薬工業（株）製｝１４４部（１モル）に変更したこと及びエチレンオキシド４４部（１モル部）をエチレンオキシド２５２部（５．７３モル部）及びプロピレンオキシド４６８６部（８０．７９モル部）に変更したこと以外、実施例２１と同様にして調製した。
【０１２１】
＜実施例２３＞ 
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をステアリン酸モノヘキサノールアミド（ｃ１４）５０部に変更したこと、及びさらにペンタエリスリトールデカン酸エステルエチレンオキシド１０モル付加物（ｄ４）４０部及びポリオキシエチレングリコール（数平均分子量２０００）デカン酸エステル（ｅ４）４０部を（ａ１）、（ｂ１）及び（ｃ１４）と共に均一混合したこと以外、実施例１と同様にして、本発明の界面活性剤（２３）を得た。
【０１２２】
なお、ペンタエリスリトールデカン酸エステルエチレンオキシド１０モル付加物（ｄ４）は、グリセリン｛試薬特級、和光純薬工業（株）製｝９２部（１モル部）をペンタエリスリトール｛和光純薬工業（株）製｝１３６部（１モル部）に変更したこと、ドコサン酸３４０部（１モル部）をデカン酸｛試薬１級、和光純薬工業（株）製｝１７６部（１モル）に変更したこと、エチレンオキシド２２００部（５０モル部）を４４０部（１０モル部）に変更したこと以外、実施例２１と同様にして調製した。
【０１２３】
また、ポリオキシエチレングリコール（数平均分子量２０００）デカン酸エステル（ｅ４）は、ドコサン酸３４０部（１モル部）をデカン酸｛試薬１級、和光純薬工業（株）製｝１７６部（１モル）に変更したこと、及びエチレンオキシド４４部（１モル部）をエチレンオキシド１９３８部（４４．０５モル部）に変更したこと以外、実施例２１と同様にして調製した。
【０１２４】
＜実施例２４＞
グリセリンドデカン酸エステル（ａ１）０．１部を６０部に変更したこと、高級アルコールのアルキレンオキシド付加物（ｂ１）８０部をイソデカノールのエチレンオキシド６５モル・プロピレンオキシド３５モルのランダム付加物（ｂ２）５部に変更したこと、ヤシ油脂肪酸ジエタノールアミド（ｃ１１）１９．９部をヤシ油脂肪酸モノヘキサノールアミド（ｃ１５）３５部に変更したこと、さらにソルビタンステアリン酸エステルエチレンオキシド６モル付加物（ｄ５）５部及びポリオキシエチレン・ポリオキシプロピレン・ポリオキシエチレングリコール（オキシエチレン及びオキシプロピレンの結合様式：ブロック）（数平均分子量１００００）ステアリン酸エステル（ｅ５）５部を、（ａ１）、（ｂ１）及び（ｃ１５）と共に均一混合したこと以外、実施例１と同様にして、本発明の界面活性剤（２４）を得た。
【０１２５】
なお、ソルビタンステアリン酸エステルエチレンオキシド６モル付加物（ｄ５）は、ドコサン酸３４０部（１モル部）をヘキサン酸｛試薬特級、和光純薬工業（株）製｝１１６部（１モル）に変更したこと、エチレングリコール６２部（１モル部）をソルビタン｛和光純薬工業（株）製｝１６４部（１モル）に変更したこと及びエチレンオキシド２１５６部（４９モル部）を２２０部（５モル部）に変更したこと以外、実施例２１と同様にして調製した。
【０１２６】
また、ポリオキシエチレン・ポリオキシプロピレン・ポリオキシエチレングリコール（オキシエチレン及びオキシプロピレンの結合様式：ブロック）（数平均分子量１００００）ステアリン酸エステル（ｅ５）は以下のようにして得た。
ステアリン酸｛試薬１級、和光純薬工業（株）製｝２８４部（１モル部）、エチレングリコール｛試薬特級、和光純薬工業（株）製６２部（１モル部）及びパラトルエンスルホン酸｛試薬特級、和光純薬工業（株）製｝８．６部（０．０５モル部）を均一混合しながら、窒素置換及び加熱（１３０℃）した後、生成する水を除去しながら１３０℃で２０時間反応を行い、エチレングリコールステアリン酸エステル混合物（モノエステル及びジエステル等の混合物）を得た。
次いで、エチレングリコールステアリン酸エステル（ｅ５−１）３２８部（１モル部）及び三フッ化ホウ素ジエチルエーテラート｛試薬特級、和光純薬工業（株）製｝１１部を均一混合しながら、窒素置換及び加熱（５０℃）した後、５０℃でエチレンオキシド９９６．２部（２２．６４モル部）を連続滴下し（０．１〜０．３ＭＰａ）、同温度にさらに１０時間保ちさらにプロピレンオキシド７８９７．３部（１３６．１６モル部）を連続滴下し（０．１〜０．３ＭＰａ）、同温度にさらに１０時間保ちさらにエチレンオキシド１０４２．４部（２３．６９モル部）を連続滴下し（０．１〜０．３ＭＰａ）、同温度にさらに１０時間保った。
そして、得られた反応生成物に水１００部及びハイドロタルサイト化合物｛キョーワード１０００、協和化学株式会社製｝１１５部を添加して、９０℃で１時間撹拌処理した。その後、減圧濾過により、このハイドロタルサイト化合物を除去した後、水を減圧留去しポリオキシエチレン・ポリオキシプロピレン・ポリオキシエチレングリコール（オキシエチレン及びオキシプロピレンの結合様式：ブロック）（数平均分子量１００００）ステアリン酸エステル（ｅ５）を得た。
【０１２７】
＜実施例２５＞
グリセリンドデカン酸エステル（ａ１）０．１部を８０部に変更したこと、高級アルコールのアルキレンオキシド付加物（ｂ１）８０部をイソトリデシルアルコールのアルキレンオキシド付加物（ｂ３）０．１部に変更したこと、ヤシ油脂肪酸ジエタノールアミド（ｃ１１）１９．９部をトリアコンタン酸モノエタノールアミド（ｃ１６）１９．９部に変更したこと、さらにトリメチロールプロパンジステアリン酸エステルのエチレンオキシド３モル付加物｛ＥＭＡＬＥＸ  ＴＰＳ−２０３、日本エマルジョン（株）製｝３０部及びポリオキシエチレングリコール（数平均分子量６２）オレイン酸エステル（ｅ６）３０部を、（ａ１）、（ｂ２）及び（ｃ１６）と共に均一混合したこと以外、実施例１と同様にして、本発明の界面活性剤（２５）を得た。
【０１２８】
なお、ポリオキシエチレングリコール（数平均分子量６２）オレイン酸エステル（ｅ６）は以下のようにして得た。
オレイン酸｛試薬１級、和光純薬工業（株）製｝２８０部（１モル部）、エチレングリコール｛試薬特級、和光純薬工業（株）製６２部（１モル部）及びパラトルエンスルホン酸｛試薬特級、和光純薬工業（株）製｝８．６部（０．０５モル部）を均一混合しながら、窒素置換及び加熱（１３０℃）した後、生成する水を除去しながら１３０℃で２０時間反応を行い、ポリオキシエチレングリコール（数平均分子量６２）オレイン酸エステル｛モノエステル及びジエステル等の混合物｝（ｅ６）を得た。
【０１２９】
＜実施例２６＞
グリセリンドデカン酸エステル（ａ１）０．１部をエチレングリコールデカン酸エステル（ａ２）１９．９部に変更したこと、高級アルコールのアルキレンオキシド付加物（ｂ１）８０部をデシルアルコールのエチレンオキシド１５１モル・プロピレンオキシド４９モルのブロック付加物（ｂ４）８０部に変更したこと、ヤシ油脂肪酸ジエタノールアミド（ｃ１１）１９．９部を酢酸ジヘキサノールアミド（ｃ１７）０．１部に変更したこと、さらにソルビタンモノオレートエチレンオキシド２０モル付加物（ｄ１）２０部及びポリオキシエチレングリコール（数平均分子量２００）オレイン酸エステル（ｅ７）２０部を、（ａ２）、（ｂ３）及び（ｃ１７）と共に均一混合したこと以外、実施例１と同様にして、本発明の界面活性剤（２６）を得た。
【０１３０】
なお、ポリオキシエチレングリコール（数平均分子量２００）オレイン酸エステル（ｅ７）は、エチレンオキシド４４部（１モル部）をエチレンオキシド１３８部（３．１４モル部）に変更したこと以外、実施例２１と同様にして調製した。
【０１３１】
＜実施例２７＞
グリセリンドデカン酸エステル（ａ１）０．１部をソルビタンオレイン酸エステル（ａ３）２５部に変更したこと、高級アルコールのアルキレンオキシド付加物（ｂ１）８０部をデシルアルコールのエチレンオキシド３３６モル・プロピレンオキシド６４モルのブロック付加物（ｂ５）７０部に変更したこと、ヤシ油脂肪酸ジエタノールアミド（ｃ１１）１９．９部を５部に変更したこと、さらにソルビタンモノオレートエチレンオキシド２０モル付加物（ｄ１）３部及びポリオキシエチレングリコール（ポリオキシエチレン９モル付加体）オレイン酸モノエステル（ｅ１）３部を、（ａ３）、（ｂ４）及び（ｃ１１）と共に均一混合したこと以外、実施例１と同様にして、本発明の界面活性剤（２７）を得た。
【０１３２】
＜実施例２８＞
グリセリンドデカン酸エステル（ａ１）０．１部をソルビタンデカン酸エステル（ａ４）３０部に変更したこと、高級アルコールのアルキレンオキシド付加物（ｂ１）８０部をデシルアルコールのエチレンオキシド０．５モル・プロピレンオキシド３．５モルのブロック付加物（ｂ６）６０部に変更したこと、ヤシ油脂肪酸ジエタノールアミド（ｃ１１）１９．９部を１０部に変更したこと、さらにソルビタンモノオレートエチレンオキシド２０モル付加物（ｄ１）４部及びポリオキシエチレングリコール（ポリオキシエチレン９モル付加体）オレイン酸モノエステル（ｅ１）４部を、（ａ４）、（ｂ５）及び（ｃ１１）と共に均一混合したこと以外、実施例１と同様にして、本発明の界面活性剤（２８）を得た。
【０１３３】
＜実施例２９＞
グリセリンドデカン酸エステル（ａ１）０．１部をトリメチロールプロパン９−オクタデセン酸モノエステル（ａ５）４０部に変更したこと、高級アルコールのアルキレンオキシド付加物（ｂ１）８０部をデシルアルコールのエチレンオキシド２．５モル・プロピレンオキシド７．５モルのブロック付加物（ｂ７）１０部に変更したこと、ヤシ油脂肪酸ジエタノールアミド（ｃ１１）１９．９部を５０部に変更したこと、さらにソルビタンモノオレートエチレンオキシド２０モル付加物（ｄ１）６部及びポリオキシエチレングリコール（ポリオキシエチレン９モル付加体）オレイン酸モノエステル（ｅ１）６部を、（ａ５）、（ｂ１）及び（ｃ１１）と共に均一混合したこと以外、実施例１と同様にして、本発明の界面活性剤（２９）を得た。
【０１３４】
＜実施例３０＞
グリセリンドデカン酸エステル（ａ１）０．１部をエチレングリコールオクタン酸エステル（ａ６）２５部に変更したこと、高級アルコールのアルキレンオキシド付加物（ｂ１）８０部をデシルアルコールのエチレンオキシド５．５モル・プロピレンオキシド９．５モルのブロック付加物（ｂ８）５部に変更したこと、ヤシ油脂肪酸ジエタノールアミド（ｃ１１）１９．９部を７０部に変更したこと、さらにソルビタンモノオレートエチレンオキシド２０モル付加物（ｄ１）７部及びポリオキシエチレングリコール（ポリオキシエチレン９モル付加体）オレイン酸モノエステル（ｅ１）７部を、（ａ６）、（ｂ１）及び（ｃ１１）と共に均一混合したこと以外、実施例１と同様にして、本発明の界面活性剤（３０）を得た。
【０１３５】
＜実施例３１＞
グリセリンドデカン酸エステル（ａ１）０．１部をグリセリンドコサン酸エステル（ａ７）１９．９部に変更したこと、高級アルコールのアルキレンオキシド付加物（ｂ１）８０部をデシルアルコールのエチレンオキシド６６モル・プロピレンオキシド３４モルのブロック付加物（ｂ９）０．１部に変更したこと、ヤシ油脂肪酸ジタノールアミド（ｃ１１）１９．９部を８０部に変更したこと、さらにソルビタンモノオレートエチレンオキシド２０モル付加物（ｄ１）８部及びポリオキシエチレングリコール（ポリオキシエチレン９モル付加体）オレイン酸モノエステル（ｅ１）８部を、（ａ７）、（ｂ１）及び（ｃ１１）と共に均一混合したこと以外、実施例１と同様にして、本発明の界面活性剤（３１）を得た。
【０１３６】
＜実施例３２＞
ソルビタンモノオレートエチレンオキシド２０モル付加物（ｄ１）０．１部、ポリオキシエチレングリコール（ポリオキシエチレン９モル付加体）オレイン酸モノエステル（ｅ１）０．１部及びポリエーテル変性シリコーン（ｆ１）｛ＣＦ１０２２、東レ・ダウ・コーニングシリコーン（株）製｝０．０１部を、（ａ１）、（ｂ１）及び（ｃ１１）と共に均一混合したこと以外、実施例１と同様にして、本発明の界面活性剤（３２）を得た。
【０１３７】
＜実施例３３＞
グリセリンドデカン酸エステル（ａ１）０．１部を１０部に変更したこと、高級アルコールのアルキレンオキシド付加物（ｂ１）８０部を７０部に変更したこと、ヤシ油脂肪酸ジエタノールアミド（ｃ１１）１９．９部をステアリン酸ジエタノールアミド（ｃ１２）２０部に変更したこと、さらにグリセリンドコサン酸エステルエチレンオキシド５０モル付加物（ｄ２）５０部、ポリオキシエチレングリコール（数平均分子量１００）ドコサン酸エステル（ｅ２）５０部及びポリエーテル変性シリコーン（ｆ１）０．１部を、（ａ１）、（ｂ１）及び（ｃ１２）と共に均一混合したこと以外、実施例１と同様にして、本発明の界面活性剤（３３）を得た。
【０１３８】
＜実施例３４＞
グリセリンドデカン酸エステル（ａ１）０．１部を２０部に変更したこと、高級アルコールのアルキレンオキシド付加物（ｂ１）８０部を６０部に変更したこと、ヤシ油脂肪酸ジエタノールアミド（ｃ１１）１９．９部をヤシ油脂肪酸モノブタノールアミド（ｃ１３）２０部に変更したこと、さらにジグリセリンオクタン酸エステルエチレンオキシド１モル付加物（ｄ３）１部、ポリオキシプロピレン・ポリオキシエチレングリコール（オキシプロピレン及びオキシエチレンの結合様式：ランダム）（数平均分子量５０００）オクタン酸エステル（ｅ３）１部及びポリエーテル変性シリコーン（ｆ１）０．５部を、（ａ１）、（ｂ１）及び（ｃ１３）と共に均一混合したこと以外、実施例１と同様にして、本発明の界面活性剤（３４）を得た。
【０１３９】
＜実施例３５＞
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をステアリン酸モノヘキサノールアミド（ｃ１４）５０部に変更したこと、さらにペンタエリスリトールデカン酸エステルエチレンオキシド１０モル付加物（ｄ４）４０部及びポリオキシエチレングリコール（数平均分子量２０００）デカン酸エステル（ｅ４）４０部及びポリエーテル変性シリコーン（ｆ１）５部を、（ａ１）、（ｂ１）及び（ｃ１４）と共に均一混合したこと以外、実施例１と同様にして、本発明の界面活性剤（３５）を得た。
【０１４０】
＜実施例３６＞
グリセリンドデカン酸エステル（ａ１）０．１部を６０部に変更したこと、高級アルコールのアルキレンオキシド付加物（ｂ１）８０部をイソデカノールのエチレンオキシド６５モル・プロピレンオキシド３５モルのランダム付加物（ｂ２）５部に変更したこと、ヤシ油脂肪酸ジエタノールアミド（ｃ１１）１９．９部をヤシ油脂肪酸モノヘキサノールアミド（ｃ１５）３５部に変更したこと、さらにソルビタンステアリン酸エステルエチレンオキシド６モル付加物（ｄ５）５部、ポリオキシエチレン・ポリオキシプロピレン・ポリオキシエチレングリコール（オキシエチレン及びオキシプロピレンの結合様式：ブロック）（数平均分子量１００００）ステアリン酸エステル（ｅ５）５部及びポリエーテル変性シリコーン（ｆ１）１０部を、（ａ１）、（ｂ１）及び（ｃ１５）と共に均一混合したこと以外、実施例１と同様にして、本発明の界面活性剤（３６）を得た。
【０１４１】
＜実施例３７＞
グリセリンドデカン酸エステル（ａ１）０．１部を８０部に変更したこと、高級アルコールのアルキレンオキシド付加物（ｂ１）８０部をイソトリデシルアルコールのアルキレンオキシド付加物（ｂ３）０．１部に変更したこと、ヤシ油脂肪酸ジエタノールアミド（ｃ１１）１９．９部をトリアコンタン酸モノエタノールアミド（ｃ１６）１９．９部に変更したこと、さらにソルビタンモノオレートエチレンオキシド２０モル付加物（ｄ１）３０部、ポリオキシエチレングリコール（数平均分子量６２）オレイン酸エステル（ｅ６）３０部及びポリエーテル変性シリコーン（ｆ１）３０部を、（ａ１）、（ｂ２）及び（ｃ１６）と共に均一混合したこと以外、実施例１と同様にして、本発明の界面活性剤（３７）を得た。
【０１４２】
＜実施例３８＞
グリセリンドデカン酸エステル（ａ１）０．１部をエチレングリコールデカン酸エステル（ａ２）１９．９部に変更したこと、高級アルコールのアルキレンオキシド付加物（ｂ１）８０部をデシルアルコールのエチレンオキシド１５１モル・プロピレンオキシド４９モルのブロック付加物（ｂ４）８０部に変更したこと、ヤシ油脂肪酸ジエタノールアミド（ｃ１１）１９．９部を酢酸ジヘキサノールアミド（ｃ１７）０．１部に変更したこと、さらにトリメチロールプロパンジステアリン酸エステルのエチレンオキシド３モル付加物｛ＥＭＡＬＥＸ  ＴＰＳ−２０３、日本エマルジョン（株）製｝（ｄ１）９部、ポリオキシエチレングリコール（数平均分子量２００）オレイン酸エステル（ｅ７）９部及びポリエーテル変性シリコーン（ｆ１）１部を、（ａ２）、（ｂ３）及び（ｃ１７）と共に均一混合したこと以外、実施例１と同様にして、本発明の界面活性剤（３８）を得た。
【０１４３】
＜実施例３９＞
グリセリンドデカン酸エステル（ａ１）０．１部をソルビタンオレイン酸エステル（ａ３）２５部に変更したこと、高級アルコールのアルキレンオキシド付加物（ｂ１）８０部をデシルアルコールのエチレンオキシド３３６モル・プロピレンオキシド６４モルのブロック付加物（ｂ５）７０部に変更したこと、ヤシ油脂肪酸ジエタノールアミド（ｃ１１）１９．９部を５部に変更したこと、さらにソルビタンモノオレートエチレンオキシド２０モル付加物（ｄ１）１０部、ポリオキシエチレングリコール（ポリオキシエチレン９モル付加体）オレイン酸モノエステル（ｅ１）１０部及びポリエーテル変性シリコーン（ｆ１）２部を、（ａ３）、（ｂ４）及び（ｃ１１）と共に均一混合したこと以外、実施例１と同様にして、本発明の界面活性剤（３９）を得た。
【０１４４】
＜実施例４０＞
グリセリンドデカン酸エステル（ａ１）０．１部をソルビタンデカン酸エステル（ａ４）３０部に変更したこと、高級アルコールのアルキレンオキシド付加物（ｂ１）８０部をデシルアルコールのエチレンオキシド０．５モル・プロピレンオキシド３．５モルのブロック付加物（ｂ６）６０部に変更したこと、ヤシ油脂肪酸ジエタノールアミド（ｃ１１）１９．９部を１０部に変更したこと、さらにソルビタンモノオレートエチレンオキシド２０モル付加物（ｄ１）１１部、ポリオキシエチレングリコール（ポリオキシエチレン９モル付加体）オレイン酸モノエステル（ｅ１）１１部及びポリエーテル変性シリコーン（ｆ１）３部を、（ａ４）、（ｂ５）及び（ｃ１１）と共に均一混合したこと以外、実施例１と同様にして、本発明の界面活性剤（４０）を得た。
【０１４５】
＜実施例４１＞
グリセリンドデカン酸エステル（ａ１）０．１部をトリメチロールプロパン９−オクタデセン酸モノエステル（ａ５）４０部に変更したこと、高級アルコールのアルキレンオキシド付加物（ｂ１）８０部をデシルアルコールのエチレンオキシド２．５モル・プロピレンオキシド７．５モルのブロック付加物（ｂ７）１０部に変更したこと、ヤシ油脂肪酸ジエタノールアミド（ｃ１１）１９．９部を５０部に変更したこと、さらにソルビタンモノオレートエチレンオキシド２０モル付加物（ｄ１）１２部、ポリオキシエチレングリコール（ポリオキシエチレン９モル付加体）オレイン酸モノエステル（ｅ１）１２部及びポリエーテル変性シリコーン（ｆ１）４部を、（ａ５）、（ｂ１）及び（ｃ１１）と共に均一混合したこと以外、実施例１と同様にして、本発明の界面活性剤（４１）を得た。
【０１４６】
＜実施例４２＞
グリセリンドデカン酸エステル（ａ１）０．１部をエチレングリコールオクタン酸エステル（ａ６）２５部に変更したこと、高級アルコールのアルキレンオキシド付加物（ｂ１）８０部をデシルアルコールのエチレンオキシド５．５モル・プロピレンオキシド９．５モルのブロック付加物（ｂ８）５部に変更したこと、ヤシ油脂肪酸ジエタノールアミド（ｃ１１）１９．９部を７０部に変更したこと、さらにソルビタンモノオレートエチレンオキシド２０モル付加物（ｄ１）７部、ポリオキシエチレングリコール（ポリオキシエチレン９モル付加体）オレイン酸モノエステル（ｅ１）１３部及びポリエーテル変性シリコーン（ｆ１）１３部を、（ａ６）、（ｂ１）及び（ｃ１１）と共に均一混合したこと以外、実施例１と同様にして、本発明の界面活性剤（４２）を得た。
【０１４７】
＜実施例４３＞
グリセリンドデカン酸エステル（ａ１）０．１部をグリセリンドコサン酸エステル（ａ７）１９．９部に変更したこと、高級アルコールのアルキレンオキシド付加物（ｂ１）８０部をデシルアルコールのエチレンオキシド６６モル・プロピレンオキシド３４モルのブロック付加物（ｂ９）０．１部に変更したこと、ヤシ油脂肪酸ジエタノールアミド（ｃ１１）１９．９部を８０部に変更したこと、さらにソルビタンモノオレートエチレンオキシド２０モル付加物（ｄ１）１４部、ポリオキシエチレングリコール（ポリオキシエチレン９モル付加体）オレイン酸モノエステル（ｅ１）１４部及びポリエーテル変性シリコーン（ｆ１）７部を、（ａ７）、（ｂ１）及び（ｃ１１）と共に均一混合したこと以外、実施例１と同様にして、本発明の界面活性剤（４３）を得た。
【０１４８】
＜実施例４４＞
ポリエーテル変性シリコーン（ｆ１）０．０１部を（ａ１）、（ｂ１）及び（ｃ１１）と共に均一混合したこと以外、実施例１と同様にして、本発明の界面活性剤（４４）を得た。
【０１４９】
＜実施例４５＞
グリセリンドデカン酸エステル（ａ１）０．１部を１０部に変更したこと、高級アルコールのアルキレンオキシド付加物（ｂ１）８０部を７０部に変更したこと、ヤシ油脂肪酸ジエタノールアミド（ｃ１１）１９．９部をステアリン酸ジエタノールアミド（ｃ１２）２０部に変更したこと、さらにポリエーテル変性シリコーン（ｆ１）０．１部を（ａ１）、（ｂ１）及び（ｃ１２）と共に均一混合したこと以外、実施例１と同様にして、本発明の界面活性剤（４５）を得た。
【０１５０】
＜実施例４６＞
グリセリンドデカン酸エステル（ａ１）０．１部を２０部に変更したこと、高級アルコールのアルキレンオキシド付加物（ｂ１）８０部を６０部に変更したこと、ヤシ油脂肪酸ジエタノールアミド（ｃ１１）１９．９部をヤシ油脂肪酸モノブタノールアミド（ｃ１３）２０部に変更したこと、さらにポリエーテル変性シリコーン（ｆ１）０．５部を（ａ１）、（ｂ１）及び（ｃ１３）と共に均一混合したこと以外、実施例１と同様にして、本発明の界面活性剤（４６）を得た。
【０１５１】
＜実施例４７＞
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をステアリン酸モノヘキサノールアミド（ｃ１４）５０部に変更したこと、さらにポリエーテル変性シリコーン（ｆ１）５部を（ａ１）、（ｂ１）及び（ｃ１４）と共に均一混合したこと以外、実施例１と同様にして、本発明の界面活性剤（４７）を得た。
【０１５２】
＜実施例４８＞
グリセリンドデカン酸エステル（ａ１）０．１部を６０部に変更したこと、高級アルコールのアルキレンオキシド付加物（ｂ１）８０部をイソデカノールのエチレンオキシド６５モル・プロピレンオキシド３５モルのランダム付加物（ｂ２）５部に変更したこと、ヤシ油脂肪酸ジエタノールアミド（ｃ１１）１９．９部をヤシ油脂肪酸モノヘキサノールアミド（ｃ１５）３５部に変更したこと、さらにポリエーテル変性シリコーン（ｆ１）１０部を（ａ１）、（ｂ１）及び（ｃ１５）と共に均一混合したこと以外、実施例１と同様にして、本発明の界面活性剤（４８）を得た。
【０１５３】
＜実施例４９＞
グリセリンドデカン酸エステル（ａ１）０．１部を８０部に変更したこと、高級アルコールのアルキレンオキシド付加物（ｂ１）８０部をイソトリデシルアルコールのアルキレンオキシド付加物（ｂ３）０．１部に変更したこと、ヤシ油脂肪酸ジエタノールアミド（ｃ１１）１９．９部をトリアコンタン酸モノエタノールアミド（ｃ１６）１９．９部に変更したこと、さらにポリエーテル変性シリコーン（ｆ１）３０部を（ａ１）、（ｂ２）及び（ｃ１６）と共に均一混合したこと以外、実施例１と同様にして、本発明の界面活性剤（４９）を得た。
【０１５４】
＜実施例５０＞
グリセリンドデカン酸エステル（ａ１）０．１部を１９．９部に変更したこと、高級アルコールのアルキレンオキシド付加物（ｂ１）８０部をデシルアルコールのエチレンオキシド１５１モル・プロピレンオキシド４９モルのブロック付加物（ｂ４）８０部に変更したこと、ヤシ油脂肪酸ジエタノールアミド（ｃ１１）１９．９部を酢酸ジヘキサノールアミド（ｃ１７）０．１部に変更したこと、さらにポリエーテル変性シリコーン（ｆ１）８部を（ａ１）、（ｂ３）及び（ｃ１７）と共に均一混合したこと以外、実施例１と同様にして、本発明の界面活性剤（５０）を得た。
【０１５５】
＜実施例５１＞
グリセリンドデカン酸エステル（ａ１）０．１部をソルビタンオレイン酸エステル（ａ３）２５部に変更したこと、高級アルコールのアルキレンオキシド付加物（ｂ１）８０部をデシルアルコールのエチレンオキシド３３６モル・プロピレンオキシド６４のブロック付加物（ｂ５）７０部に変更したこと、ヤシ油脂肪酸ジエタノールアミド（ｃ１１）１９．９部を５部に変更したこと、さらにポリエーテル変性シリコーン（ｆ１）９部を（ａ３）、（ｂ４）及び（ｃ１１）と共に均一混合したこと以外、実施例１と同様にして、本発明の界面活性剤（５１）を得た。
【０１５６】
＜実施例５２＞
グリセリンドデカン酸エステル（ａ１）０．１部をソルビタンデカン酸エステル（ａ４）３０部に変更したこと、高級アルコールのアルキレンオキシド付加物（ｂ１）８０部をデシルアルコールのエチレンオキシド０．５モル・プロピレンオキシド３．５モルのブロック付加物（ｂ６）６０部に変更したこと、ヤシ油脂肪酸ジエタノールアミド（ｃ１１）１９．９部を１０部に変更したこと、さらにポリエーテル変性シリコーン（ｆ１）１１部を（ａ４）、（ｂ５）及び（ｃ１１）と共に均一混合したこと以外、実施例１と同様にして、本発明の界面活性剤（５２）を得た。
【０１５７】
＜実施例５３＞
グリセリンドデカン酸エステル（ａ１）０．１部をトリメチロールプロパン９−オクタデセン酸モノエステル（ａ５）４０部に変更したこと、高級アルコールのアルキレンオキシド付加物（ｂ１）８０部をデシルアルコールのエチレンオキシド２．５モル・プロピレンオキシド７．５モルのブロック付加物（ｂ７）１０部に変更したこと、ヤシ油脂肪酸ジエタノールアミド（ｃ１１）１９．９部を５０部に変更したこと、さらにポリエーテル変性シリコーン（ｆ１）１２部を（ａ５）、（ｂ１）及び（ｃ１１）と共に均一混合したこと以外、実施例１と同様にして、本発明の界面活性剤（５３）を得た。
【０１５８】
＜実施例５４＞
グリセリンドデカン酸エステル（ａ１）０．１部をエチレングリコールオクタン酸エステル（ａ６）２５部に変更したこと、高級アルコールのアルキレンオキシド付加物（ｂ１）８０部をデシルアルコールのエチレンオキシド５．５モル・プロピレンオキシド９．５モルのブロック付加物（ｂ８）５部に変更したこと、ヤシ油脂肪酸ジエタノールアミド（ｃ１１）１９．９部を７０部に変更したこと、さらにポリエーテル変性シリコーン（ｆ１）１３部を（ａ６）、（ｂ１）及び（ｃ１１）と共に均一混合したこと以外、実施例１と同様にして、本発明の界面活性剤（５４）を得た。
【０１５９】
＜実施例５５＞
グリセリンドデカン酸エステル（ａ１）０．１部をグリセリンドコサン酸エステル（ａ７）１９．９部に変更したこと、高級アルコールのアルキレンオキシド付加物（ｂ１）８０部をデシルアルコールのエチレンオキシド６６モル・プロピレンオキシド３４モルのブロック付加物（ｂ９）０．１部に変更したこと、ヤシ油脂肪酸ジエタノールアミド（ｃ１１）１９．９部を８０部に変更したこと、さらにポリエーテル変性シリコーン（ｆ１）１４部を（ａ７）、（ｂ１）及び（ｃ１１）と共に均一混合したこと以外、実施例１と同様にして、本発明の界面活性剤（５５）を得た。
【０１６０】
＜実施例５６＞
グリセリンドデカン酸エステル（ａ１）０．１部を１９．９部に変更したこと、高級アルコールのアルキレンオキシド付加物（ｂ１）８０部をイソデカノールのエチレンオキシド６５モル・プロピレンオキシド３５モルのランダム付加物（ｂ２）８０部に変更したこと、ヤシ油脂肪酸ジエタノールアミド（ｃ１１）１９．９部をヤシ油脂肪酸モノエタノールアミドエチレンオキシド１モル付加物（ｃ２５）０．１部に変更したこと、さらにポリエーテル変性シリコーン（ｆ１）１０部を（ａ１）、（ｂ２）及び（ｃ２５）と共に均一混合したこと以外、実施例１と同様にして、本発明の界面活性剤（５６）を得た。
なお、ヤシ油脂肪酸モノエタノールアミドエチレンオキシド１モル付加物（ｃ２５）は、エチレンオキシド８８００部（２００モル部）を４４部（１モル部）に変更したこと以外、実施例１６と同様にして調製した。
【０１６１】
＜実施例５７＞
グリセリンドデカン酸エステル（ａ１）０．１部をソルビタンデカン酸エステル（ａ４）３０部に変更したこと、高級アルコールのアルキレンオキシド付加物（ｂ１）８０部をデシルアルコールのエチレンオキシド０．５モル・プロピレンオキシド３．５モルのブロック付加物（ｂ６）６０部に変更したこと、ヤシ油脂肪酸ジエタノールアミド（ｃ１１）１９．９部をココナッツアミンエチレンオキシド１モル付加物（ｃ３４）１０部に変更したこと、さらにポリエーテル変性シリコーン（ｆ１）１１部を（ａ４）、（ｂ５）及び（ｃ３４）と共に均一混合したこと以外、実施例１と同様にして、本発明の界面活性剤（５７）を得た。
【０１６２】
＜実施例５８＞
グリセリンドデカン酸エステル（ａ１）０．１部をトリメチロールプロパン９−オクタデセン酸モノエステル（ａ５）４０部に変更したこと、高級アルコールのアルキレンオキシド付加物（ｂ１）８０部をデシルアルコールのエチレンオキシド２．５モル・プロピレンオキシド７．５モルのブロック付加物（ｂ７）１０部に変更したこと、ヤシ油脂肪酸ジエタノールアミド（ｃ１１）１９．９部をココナッツアミンエチレンオキシド５０モル付加物（ｃ３５）５０部に変更したこと、さらにポリエーテル変性シリコーン（ｆ１）１２部を（ａ５）、（ｂ１）及び（ｃ３５）と共に均一混合したこと以外、実施例１と同様にして、本発明の界面活性剤（５８）を得た。
【０１６３】
＜実施例５９＞
グリセリンドデカン酸エステル（ａ１）０．１部をエチレングリコールオクタン酸エステル（ａ６）２５部に変更したこと、高級アルコールのアルキレンオキシド付加物（ｂ１）８０部をデシルアルコールのエチレンオキシド５．５モル・プロピレンオキシド９．５モルのブロック付加物（ｂ８）５部に変更したこと、ヤシ油脂肪酸ジエタノールアミド（ｃ１１）１９．９部をココナッツアミンエチレンオキシド２００モル付加物（ｃ３６）７０部に変更したこと、さらにポリエーテル変性シリコーン（ｆ１）１３部を（ａ６）、（ｂ１）及び（ｃ３６）と共に均一混合したこと以外、実施例１と同様にして、本発明の界面活性剤（５９）を得た。
【０１６４】
＜実施例６０＞
グリセリンドデカン酸エステル（ａ１）０．１部をグリセリンドコサン酸エステル（ａ７）１９．９部に変更したこと、高級アルコールのアルキレンオキシド付加物（ｂ１）８０部をデシルアルコールのエチレンオキシド６６モル・プロピレンオキシド３４モルのブロック付加物（ｂ９）０．１部に変更したこと、ヤシ油脂肪酸ジエタノールアミド（ｃ１１）１９．９部をエチレングリコール（ｃ５１）｛試薬特級、和光純薬工業（株）製｝８０部に変更したこと、さらにポリエーテル変性シリコーン（ｆ１）１４部を（ａ７）、（ｂ１）及び（ｃ５１）と共に均一混合したこと以外、実施例１と同様にして、本発明の界面活性剤（６０）を得た。
【０１６５】
＜実施例６１＞
グリセリンドデカン酸エステル（ａ１）０．１部を１９．９部に変更したこと、ヤシ油脂肪酸ジエタノールアミド（ｃ１１）１９．９部をエチレンオキシド８０モル・プロピレンオキシド３５モル・エチレンオキシド８０モルのブロック付加物（ｃ４１）｛ニューポールＰＥ−６８、三洋化成（株）製｝０．１部に変更したこと、ポリエーテル変性シリコーン（ｆ１）０．０１部を（ａ１）、（ｂ１）及び（ｃ４１）と共に均一混合したこと以外、実施例１と同様にして、本発明の界面活性剤（６１）を得た。
【０１６６】
＜実施例６２＞
グリセリンドデカン酸エステル（ａ１）０．１部を１９．９部に変更したこと、高級アルコールのアルキレンオキシド付加物（ｂ１）８０部を０．１部に変更したこと、ヤシ油脂肪酸ジエタノールアミド（ｃ１１）１９．９部をプロピレングリコールのプロピレンオキシド２モル付加物（ｃ４２）｛ニューポールＰＰ−２００、三洋化成（株）製｝８０部に変更したこと、さらにポリエーテル変性シリコーン（ｆ１）０．１部を（ａ１）、（ｂ１）及び（ｃ４２）と共に均一混合したこと以外、実施例１と同様にして、本発明の界面活性剤（６２）を得た。
【０１６７】
＜実施例６３＞
グリセリンドデカン酸エステル（ａ１）０．１部を３０部に変更したこと、高級アルコールのアルキレンオキシド付加物（ｂ１）８０部を６０部に変更したこと、ヤシ油脂肪酸ジエタノールアミド（ｃ１１）１９．９部をエチレンオキシド２４モル・プロピレンオキシド３５モル・エチレンオキシド２４モルのブロック付加物（ｃ４３）｛ニューポールＰＥ−７５、三洋化成（株）製｝１０部に変更したこと、さらにポリエーテル変性シリコーン（ｆ１）０．５部を（ａ１）、（ｂ１）及び（ｃ４３）と共に均一混合したこと以外、実施例１と同様にして、本発明の界面活性剤（６３）を得た。
【０１６８】
＜実施例６４＞
グリセリンドデカン酸エステル（ａ１）０．１部を４０部に変更したこと、高級アルコールのアルキレンオキシド付加物（ｂ１）８０部を１０部に変更したこと、ヤシ油脂肪酸ジエタノールアミド（ｃ１１）１９．９部をエチレングリコールのエチレンオキシド２モル付加物（ｃ４４）｛ＰＥＧ−２００、三洋化成（株）製｝５０部に変更したこと、さらにポリエーテル変性シリコーン（ｆ１）５部を（ａ１）、（ｂ１）及び（ｃ４４）と共に均一混合したこと以外、実施例１と同様にして、本発明の界面活性剤（６４）を得た。
【０１６９】
＜実施例６５＞
グリセリンドデカン酸エステル（ａ１）０．１部を２５部に変更したこと、高級アルコールのアルキレンオキシド付加物（ｂ１）８０部をイソデカノールのエチレンオキシド６５モル・プロピレンオキシド３５モルのランダム付加物（ｂ２）５部に変更したこと、ヤシ油脂肪酸ジエタノールアミド（ｃ１１）１９．９部をエチレンオキシド１２．５モル・プロピレンオキシド３０モル・エチレンオキシド１２．５モルのブロック付加物（ｃ４５）｛ニューポールＰＥ−６４、三洋化成（株）製｝７０部に変更したこと、さらにポリエーテル変性シリコーン（ｆ１）１０部を（ａ１）、（ｂ１）及び（ｃ４５）と共に均一混合したこと以外、実施例１と同様にして、本発明の界面活性剤（６５）を得た。
【０１７０】
＜実施例６６＞
グリセリンドデカン酸エステル（ａ１）０．１部を１９．９部に変更したこと、高級アルコールのアルキレンオキシド付加物（ｂ１）８０部をイソトリデシルアルコールのアルキレンオキシド付加物（ｂ３）８０部に変更したこと、ヤシ油脂肪酸ジエタノールアミド（ｃ１１）１９．９部を２−メチル−２，４−ペンタンジオール（ｃ５２）｛ヘキシレングリコール、シェルジャパン（株）製｝０．１部に変更したこと、さらにポリエーテル変性シリコーン（ｆ１）３０部を（ａ１）、（ｂ２）及び（ｃ５２）と共に均一混合したこと以外、実施例１と同様にして、本発明の界面活性剤（６６）を得た。
【０１７１】
＜実施例６７＞
水溶性高分子｛ポリビニルアルコールＰＶＡ−２１７（重合度１７００、ケン化度９４％以上）、クラレ（株）製）｝２４．９部を高速攪拌｛ホソカワミクロン（株）製高速攪拌タービュライザー：回転数２０００ｒｐｍ｝しながら、実施例１で得た界面活性剤（１）０．１部をスプレー噴霧により加えた後、７０℃で３０分間混合して本発明の樹脂（１）を得た。
【０１７２】
＜実施例６８〜１３２＞
実施例２〜６６で得た界面活性剤（２）〜（６６）を用いて、実施例６７と同様にして、本発明の樹脂（２）〜（６６）を得た。
【０１７３】
＜比較例１＞
ステアリルアルコール｛カルコール８０９８、花王（株）製｝３０部、グリセリンモノ・ジステアレート｛リケマールＳ−２００、理研ビタミン（株）製｝７０部及びエチレングリコール｛試薬特級、和光純薬工業（製）｝９００部を、窒素雰囲気下、８０℃で２時間攪拌混合し、約２５℃に冷却して、比較用の界面活性剤（６７）を得た。
【０１７４】
＜比較例２＞
ステアリルアルコール｛カルコール８０９８、花王（株）製｝３０部、グリセリンモノ・ジステアレート｛リケマールＳ−２００、理研ビタミン（株）製｝７０部、プロピレングリコール｛試薬特級、和光純薬工業（製）｝１００部及びエチルアルコールのプロピレンオキシド２モル付加物８００部を、窒素雰囲気下、８０℃で２時間攪拌混合し、約２５℃に冷却して、比較用の界面活性剤（６８）を得た。
【０１７５】
なお、エチルアルコールのプロピレンオキシド２モル付加物は、デシルアルコール１５８部（１モル部）をエチルアルコール｛試薬特級、和光純薬工業（株）製｝４６部（１モル）に変更したこと、エチレンオキシド５７２部（１３モル部）を０部（０モル部）に変更したこと及びプロピレンオキシド８７０部（１５モル部）を１１６部（２モル部）に変更したこと以外、実施例１と同様にして調製した。
【０１７６】
＜比較例３＞
ベヘニルアルコール｛カルコール２２０−８０、花王（株）製｝５部、グリセリンモノ・ジステアレート｛リケマールＳ−２００、理研ビタミン（株）製｝７０部、プロピレングリコール｛試薬特級、和光純薬工業（製）｝７０部及びエチルアルコールのプロピレンオキシド２モル付加物８００部を、窒素雰囲気下、８０℃で２時間攪拌混合し、約２５℃に冷却して、比較用の界面活性剤（６９）を得た。
【０１７７】
＜比較例４〜６＞
比較例１〜３で得た界面活性剤（６７）〜（６９）を用いて、実施例６７と同様にして、比較用の樹脂（６７）〜（６９）を得た。
【０１７８】
実施例及び比較例で得た界面活性剤（１）〜（６９）について、分離安定性及び静的表面張力を評価し、これらの結果を表１に示した。
また、実施例及び比較例で得た樹脂（１）〜（６９）について、消泡性を評価し、これらの結果を表２に示した。
【０１７９】
＜分離安定性＞
活栓付きメスシリンダー（容量１００ｍｌ）に測定試料（界面活性剤）１００ｍｌを入れて密閉した後、２±２℃、２５±２℃、４０±２℃のいずれかで１ヶ月静置した。
１ヶ月後、上層及び／又は下層に生じた分離層の容量を測定し、この数字を分離安定性とした。
【０１８０】
＜静的表面張力＞
脱イオン水１９９．８部及び評価試料（界面活性剤）０．２部を均一混合し、２５℃に温度調整することにより、試験液を得た。
この試験液を表面張力計ＣＢＶＰ−Ｚ型｛協和界面科学（株）製｝を用い、ウイルヘルミイ法｛たとえば、ぬれ技術ハンドブック〜基礎・測定結果・データ〜、７頁、テクノシステム（株）、２００１年発行等｝で静的表面張力を測定した。
なお、プレートは、白金−イリジウム合金製（幅２４ｍｍ、長さ１０ｍｍ、厚み０．１５ｍｍ）プレートを、アルコールランプで３０秒間赤熱洗浄した後、２５℃まで放冷したものを用いた。
また、試料台の移動速度（上からの下降速度）は０．２０±０．０５ｍｍ/ｓであり、プレートの最下端を試験液に浸す深さは、５〜１０ｍｍとした。試験液の温度は２５℃とした。
また、試験液として脱イオン水２００部を用いて測定した表面張力をブランクとした。
【０１８１】
＜消泡性＞
脱イオン水６００部及び評価試料（樹脂）２５部を均一混合しながら、６０℃まで昇温した後、１時間均一混合し、試験液を得た。
底部に抜き取り口のある１リットルのメスシリンダーに試験液６００ｍｌを入れ、底部から循環ポンプを通じて２．０リットル／分で試験液を抜き出すと共に、メスシリンダー上部へ導き、試験液の液面へ垂直に３５０ｍｍの高さから落下させて、試験液を循環させた。そして、循環を開始して１５分経過後に、試験液及び泡の容量を泡容量Ｖ１（ｍｌ）として読み取った。引き続き、循環を止め、１５分間静置した後の泡容量（Ｖ２）を読み取った。
なお、試験液の温度は、６０℃に保った。
また、脱イオン水６００．１部及び水溶性高分子｛ポリビニルアルコールＰＶＡ−２１７（重合度１７００、ケン化度９４％以上）、クラレ（株）製）｝２４．９部を均一混合しながら、６０℃まで昇温した後、１時間均一混合して得た試験液を用いて、同様にして読み取った値をブランクとした。
また、試験装置については、パフォーマンス・ケミカルスの機能シリーズＮｏ．５、「泡を立てる・泡を消す  起泡・消泡機能編」｛１８頁、図１６サーキュレーション試験器；三洋化成工業（株）１９９９年発行｝等が参考となる。
【０１８２】
【表１】
2008174700.tif 000003
【表２】
2008174700.tif 000004
【０１８３】
以上の通り、本発明の界面活性剤（実施例１〜６６）は、比較用の界面活性剤に比較して、分離安定性が極めて良好であり、静的表面張力にも優れていた。また、本発明の界面活性剤を用いた樹脂（実施例６７〜１３２）は、比較用の樹脂に比較して、消泡性に著しく優れていた。また、静的表面張力のデータから、本発明の界面活性剤は、洗浄性能、レべリング性能、分散性能、乳化性能、潤滑性能又は帯電防止性能にも著しく優れると考えられる。
【産業上の利用可能性】
【０１８４】
本発明の界面活性剤は、洗浄用添加剤（パルプ、電子基板、金属部品及び繊維等の洗浄水）、消泡剤、レべリング剤、分散剤、乳化剤、潤滑剤又は帯電防止剤等として使用できる。これらのうち、、消泡性能が非常に優れており、特に塗料、樹脂エマルション、ラテックス、水溶性高分子を含む発泡液体に対して極めて優れた消泡性能を発揮する。